(57)【要約】【課題】本発明は、操作性を向上させる。【解決手段】本発明は、複数の静止画像ＳＧの認識結果に基づき、当該静止画像ＳＧ毎の表示向きを補正するための補正回転角度を検出し、複数の静止画像ＳＧを表示した状態で１つの静止画像ＳＧが選択され、その静止画像ＳＧの指定回転角度が指定されると、選択された静止画像ＳＧを指定回転角度まで回転させて表示するように設定し、指定回転角度と、複数の静止画像ＳＧの補正回転角度とに基づいて他の複数の静止画像ＳＧを、選択された静止画像ＳＧを指定回転角度まで回転させるときと同じ表示向きとなるように回転させて表示するように設定することにより、複数の静止画像ＳＧのうち１つの静止画像ＳＧを選択させて指定回転角度を指定させるだけで、これら複数の静止画像ＳＧを互いの表示向きを揃えるように回転させて表示するように設定することができ、かくして操作性を向上させることができる。【選択図】図１０
2010113217.tif 000002
【特許請求の範囲】
【請求項１】
複数の静止画像を認識処理する画像認識部と、
上記静止画像毎の認識結果に基づき、当該静止画像毎の表示向きを補正するための補正回転角度を検出する補正角度検出部と、
表示部で表示された複数の上記静止画像の中から１つの当該静止画像を選択するために用いられると共に、当該選択された上記静止画像を回転させるための指定回転角度を指定するために用いられる操作入力部と、
上記表示部で表示された複数の上記静止画像の中から上記操作入力部を介して１つの上記静止画像が選択されると共に、当該選択された上記静止画像を回転させるための指定回転角度が指定されると、上記選択された上記静止画像を上記指定回転角度まで回転させて表示するように設定すると共に、上記指定回転角度と、複数の上記静止画像それぞれの上記補正回転角度とに基づいて、上記選択された上記静止画像以外の他の複数の上記静止画像を、上記選択された上記静止画像を上記指定回転角度まで回転させるときと同じ表示向きとなるように回転させて表示するように設定する回転表示設定部と
を具える表示状態設定装置。
【請求項２】
上記静止画像毎の上記認識結果に基づき、複数の当該静止画像を複数のグループに分類する分類部
を具え、
上記操作入力部は、
上記表示部で表示された上記グループ毎の複数の上記静止画像の中から１つの上記グループと当該グループに属する１つの上記静止画像とを選択するために用いられ、
上記回転表示設定部は、
上記表示部により表示された上記グループ毎の複数の上記静止画像の中から上記操作入力部を介して１つの上記グループと当該グループに属する１つの上記静止画像とが選択されると共に、当該選択された上記静止画像を回転させるための上記指定回転角度が指定されると、上記選択された上記静止画像を上記指定回転角度まで回転させて表示するように設定すると共に、上記指定回転角度と、上記グループに属する全ての上記静止画像それぞれの上記補正回転角度とに基づいて、上記選択された上記静止画像以外の上記グループに属する他の複数の上記静止画像を、上記選択された上記静止画像を上記指定回転角度まで回転させるときと同じ表示向きとなるように回転させて表示するように設定する
請求項１に記載の表示状態設定装置。
【請求項３】
上記回転表示設定部は、
上記表示部で表示された上記グループ毎の複数の上記静止画像の中から上記操作入力部を介して１つの上記グループが選択されると、当該選択された上記グループに属する全ての上記静止画像それぞれの上記補正回転角度に基づいて、上記グループに属する全ての上記静止画像を同じ表示向きとなるように回転させて表示するように設定する
請求項２に記載の表示状態設定装置。
【請求項４】
上記操作入力部は、
上記表示部で表示された上記グループ毎の複数の上記静止画像の中から１つの上記グループを選択すると共に、当該選択した上記グループに属する１つの上記静止画像を非表示対象として選択するために用いられ、
上記回転表示設定部は、
上記表示部で表示された上記グループ毎の複数の上記静止画像の中から上記操作入力部を介して１つの上記グループが選択されると共に、当該選択された上記グループに属する１つの上記静止画像が上記非表示対象として選択されると、当該選択された上記静止画像を非表示に設定する
請求項３に記載の表示状態設定装置。
【請求項５】
複数の静止画像を認識処理する画像認識ステップと、
上記静止画像毎の認識結果に基づき、当該静止画像毎の表示向きを補正するための補正回転角度を検出する補正角度検出ステップと、
複数の上記静止画像を表示した状態で、当該複数の上記静止画像の中から１つの上記静止画像が選択されると共に、当該選択された上記静止画像を回転させるための指定回転角度が指定されると、上記選択された上記静止画像を上記指定回転角度まで回転させて表示するように設定すると共に、上記指定回転角度と、複数の上記静止画像それぞれの上記補正回転角度とに基づいて、上記選択された上記静止画像以外の他の複数の上記静止画像を、上記選択された上記静止画像を上記指定回転角度まで回転させるときと同じ表示向きとなるように回転させて表示するように設定する回転表示設定ステップと
を具える表示状態設定方法。
【請求項６】
コンピュータに、
複数の静止画像を認識処理する画像認識ステップと、
上記静止画像毎の認識結果に基づき、当該静止画像毎の表示向きを補正するための補正回転角度を検出する補正角度検出ステップと、
複数の上記静止画像を表示した状態で、当該複数の上記静止画像の中から１つの上記静止画像が選択されると共に、当該選択された上記静止画像を回転させるための指定回転角度が指定されると、上記選択された上記静止画像を上記指定回転角度まで回転させて表示するように設定すると共に、上記指定回転角度と、複数の上記静止画像それぞれの上記補正回転角度とに基づいて、上記選択された上記静止画像以外の他の複数の上記静止画像を、上記選択された上記静止画像を上記指定回転角度まで回転させるときと同じ表示向きとなるように回転させて表示するように設定する回転表示設定ステップと
を実行させるための表示状態設定プログラム。
【発明の詳細な説明】
【技術分野】
【０００１】
本発明は表示状態設定装置、表示状態設定方法及び表示状態設定プログラムに関し、例えば、静止画像を表示する画像表示装置に適用して好適なものである。
【背景技術】
【０００２】
従来の画像管理装置は、例えば、長方形状に形成された複数の静止画像を、これら複数の静止画像の生成日時等の時間情報と共に記憶する。
【０００３】
そして画像管理装置は、静止画像の表示時、静止画像と共に記憶していた時間情報に基づいて、複数の静止画像をグループに分け、そのグループ分けに従って表示部に複数の静止画像をグループ毎に一覧表示していた（例えば、特許文献１参照）。
【特許文献１】特開２００７−２５８８８３公報（第５頁、図７）
【発明の開示】
【発明が解決しようとする課題】
【０００４】
ところで、かかる構成の画像管理装置は、例えば、長方形状に形成された静止画像を記憶しており、その静止画像には一部に又は全体にわたって人の顔や建物、風景等のような見る対象（以下、これをオブジェクトとも呼ぶ）の姿形が描かれている。
【０００５】
そして静止画像としては、画像下方向が当該静止画像の短手方向（以下、これを画像短手方向とも呼ぶ）と平行となるように生成されたものや、静止画像の長手方向（以下、これを画像長手方向とも呼ぶ）と平行となるように生成されたものがある。
【０００６】
因みに、静止画像の画像下方向とは、その静止画像に描かれたオブジェクトの姿形の上下を、視線の上下に合わせるように、当該静止画像を正しい表示向きで表示するための基準となるものである。
【０００７】
画像管理装置は、例えば、静止画像の画像下方向の向きにかかわらずに、表示部の表示画面に複数の静止画像を、それぞれ画像長手方向を画面水平方向と平行にし、かつ画像短手方向を画面垂直方向と平行にして一覧表示している。
【０００８】
因みに、以下の説明では、表示部の表示画面の水平方向を、画面横方向とも呼び、当該表示画面の垂直方向を、画面縦方向とも呼ぶ。
【０００９】
このため画像管理装置は、例えば、複数の静止画像の中に画像下方向を画像長手方向と平行とするように生成された静止画像があると、当該静止画像を、他の静止画像の縦向きとは異なる横向きで見せることになる。
【００１０】
また画像管理装置は、例えば、複数の静止画像の中に縦向きで表示しているにもかかわらず、あえて横向きで見るように要望された静止画像があっても、当該静止画像を、その要望に反して縦向きのまま見せることになる。
【００１１】
従って従来、このような画像管理装置としては、表示部に複数の静止画像を一覧表示した状態で操作部が操作されると、これに応じて所望の静止画像を、その画像中心点を中心にして回転させることができるものがある。
【００１２】
そして、かかる構成の画像管理装置によれば、表示部に複数の静止画像を一覧表示した際に、操作部の操作に応じて静止画像を回転させることで、当該静止画像を所望の縦向きや横向きに変更して表示して見せることができる。
【００１３】
ところが、かかる構成の画像管理装置では、表示部に一覧表示した静止画像の中に回転させたい静止画像が複数あると、このような静止画像を１つずつ選択させて回転させるように操作部を操作させる必要があり、操作性がわるいという問題があった。
【００１４】
本発明は以上の点を考慮してなされたもので、操作性を向上し得る表示状態設定装置、表示状態設定方法及び表示状態設定プログラムを提案しようとするものである。
【課題を解決するための手段】
【００１５】
かかる課題を解決するため本発明においては、複数の静止画像を認識処理し、静止画像毎の認識結果に基づき、当該静止画像毎の表示向きを補正するための補正回転角度を検出し、複数の静止画像を表示した状態で、当該複数の静止画像の中から１つの静止画像が選択され、当該選択された静止画像を回転させるための指定回転角度が指定されると、選択された静止画像を指定回転角度まで回転させて表示するように設定すると共に、指定回転角度と、複数の静止画像それぞれの補正回転角度とに基づいて、選択された静止画像以外の他の複数の静止画像を、選択された静止画像を指定回転角度まで回転させるときと同じ表示向きとなるように回転させて表示するように設定するようにした。
【００１６】
従って本発明では、複数の静止画像のうち１つの静止画像を選択させて指定回転角度を指定させるだけで、これら複数の静止画像を互いの表示向きを揃えるように回転させて表示するように設定することができる。
【発明の効果】
【００１７】
本発明によれば、複数の静止画像を認識処理し、静止画像毎の認識結果に基づき、当該静止画像毎の表示向きを補正するための補正回転角度を検出し、複数の静止画像を表示した状態で、当該複数の静止画像の中から１つの静止画像が選択され、当該選択された静止画像を回転させるための指定回転角度が指定されると、選択された静止画像を指定回転角度まで回転させて表示するように設定すると共に、指定回転角度と、複数の静止画像それぞれの補正回転角度とに基づいて、選択された静止画像以外の他の複数の静止画像を、選択された静止画像を指定回転角度まで回転させるときと同じ表示向きとなるように回転させて表示するように設定するようにしたことにより、複数の静止画像のうち１つの静止画像を選択させて指定回転角度を指定させるだけで、これら複数の静止画像を互いの表示向きを揃えるように回転させて表示するように設定することができ、かくして操作性を向上し得る表示状態設定装置、表示状態設定方法及び表示状態設定プログラムを実現することができる。
【発明を実施するための最良の形態】
【００１８】
以下図面について、本発明の一実施の形態を詳述する。なお、説明は以下の順序で行う。
１．実施の形態
２．他の実施の形態
【００１９】
（１）実施の形態
（１−１）画像表示装置の回路構成
図１において、１は全体として本発明を適用した画像表示装置の回路構成を示す。画像表示装置１は、例えば、被写体を写真撮影して生成した静止画像の画像ファイルを保持するデジタルスチルカメラ（図示せず）と無線接続又は有線接続して通信し得るようになされている。
【００２０】
また画像表示装置１には、例えば、半導体メモリが搭載されたメモリカードや、光ディスク等の、被写体を写真撮影して生成された静止画像の画像ファイルが記録された記録メディア（図示せず）を装填し得るようになされている。
【００２１】
かかる画像表示装置１は、例えば、ＣＰＵ（Central  Processing  Unit）でなる制御部２を有している。制御部２は、ハードディスクドライブ等の記憶部３、又はＲＯＭ（Read  Only  Memory）４に予め記憶された基本プログラムやアプリケーションプログラム等の各種プログラムを、バス５を介してＲＡＭ（Random  Access  Memory）６に読み出す。
【００２２】
そして制御部２は、ＲＡＭ６上で展開した各種プログラムに従って装置全体を制御すると共に、所定の演算処理や、ユーザによるリモートコントローラ等の操作入力部７に対する種々の操作に応じた各種処理を実行する。
【００２３】
これにより制御部２は、画像表示装置１に外部機器インタフェース８を介してデジタルスチルカメラが無線接続又は有線接続されると、その外部機器インタフェース８を介して当該デジタルスチルカメラと通信する。
【００２４】
この状態で制御部２は、ユーザによる操作入力部７の操作に応じて当該操作入力部７から画像ファイルの取込命令が入力されると、外部機器インタフェース８を介してデジタルスチルカメラから１又は複数の画像ファイルを取り込む。
【００２５】
そして制御部２は、かかる画像ファイルを記憶部３に送出することにより、当該記憶部３に画像ファイルを記憶する。
【００２６】
また制御部２は、画像表示装置１に記録メディアが装填された状態で、ユーザによる操作入力部７の操作に応じて当該操作入力部７から画像ファイルの取込命令が入力されると、メディアドライブ９により記録メディアから１又は複数の画像ファイルを読み出す。
【００２７】
そして制御部２は、その画像ファイルを記憶部３に送出することにより、当該記憶部３に画像ファイルを記憶する。
【００２８】
このようにして制御部２は、外部から複数の画像ファイルを取り込んで記憶部３に記憶し得るようになされている。
【００２９】
因みに、制御部２は、記憶部３に記憶した複数の画像ファイルを、一度の取込処理で取り込んで記憶した１又は複数の画像ファイル毎にフォルダと呼ばれる管理単位で管理している。
【００３０】
制御部２は、記憶部３に複数の画像ファイルを記憶すると、これら複数の画像ファイルに基づき、表示部１０に複数の静止画像を一覧表示し得るようになされている。また制御部２は、表示部１０に対し、１つの静止画像を単独で表示することもできる。
【００３１】
ここで図２に示すように、画像表示装置１の表示部１０は、例えば、長方形状の表示画面１０Ａを有している。
【００３２】
そして画像表示装置１では、表示部１０の表示画面１０Ａにおいて、互いに対向する一対の長辺１０ＡＴ及び１０ＡＵの一方が画面上端として規定されると共に、他方が画面下端として規定されている。
【００３３】
また画像表示装置１では、表示部１０の表示画面１０Ａにおいて、互いに対向する一対の短辺１０ＡＲ及び１０ＡＬの一方が画面右端として規定されると共に、他方が画面左端として規定されている。
【００３４】
因みに、以下の説明では、表示部１０の表示画面１０Ａにおいて一対の長辺と平行な画面水平方向（すなわち、画面右端から画面左端へ向かう方向及び画面左端から画面右端へ向かう方向の両方向）を、画面横方向とも呼ぶ。
【００３５】
また、以下の説明では、表示部１０の表示画面１０Ａにおいて一対の短辺と平行な画面垂直方向（すなわち、画面上端から画面下端へ向かう方向及び画面下端から画面上端へ向かう方向の両方向）を、画面縦方向とも呼ぶ。
【００３６】
一方、画像表示装置１の記憶部３に記憶する画像ファイル（すなわち、静止画像の静止画像データを含む画像ファイル）は、デジタルスチルカメラにより生成されている。
【００３７】
図３に示すように、デジタルスチルカメラＤＳＣは、例えば、立方体状の筐体１５を有し、当該筐体１５の正面１５ＡにカメラレンズＣＬが配置され、背面１５Ｂに表示画面ＤＰが配置されている。
【００３８】
またデジタルスチルカメラＤＳＣは、筐体１５において正面１５Ａと背面１５Ｂとの間の、互いに対向する一対の端面１５Ｃ及び１５Ｄの一方にシャッタボタンＳＢが配置されている。
【００３９】
因みに、以下の説明では、筐体１５において正面１５Ａと背面１５Ｂとの間の、互いに対向する一対の端面１５Ｃ及び１５ＤのうちシャッタボタンＳＢが配置された一方の端面１５Ｃを、上端面１５Ｃとも呼ぶ。
【００４０】
また、以下の説明では、筐体１５において上端面１５Ｃと対向する他方の端面１５Ｄを、下端面１５Ｄとも呼ぶ。
【００４１】
さらに、以下の説明では、デジタルスチルカメラＤＳＣの筐体１５において正面１５Ａと背面１５Ｂとの間の、互いに対向する他の一対の端面１５Ｅ及び１５Ｆのうち一方の端面１５Ｅを、右側面１５Ｅとも呼ぶ。
【００４２】
さらに、以下の説明では、筐体１５において右端面１５Ｅと対向する他方の端面１５Ｆを、左側面１５Ｆとも呼ぶ。
【００４３】
かかる構成のデジタルスチルカメラＤＳＣは、写真撮影時、正面１５Ａを向けた被写体の視野像を、カメラレンズＣＬを介して内部に取り込む。
【００４４】
そしてデジタルスチルカメラＤＳＣは、筐体保持姿勢にかかわらず視野像を、上端面１５Ｃ側及び下端面１５Ｄ側の一対の長辺と、右側面１５Ｅ側及び左側面１５Ｆ側の一対の短辺とから形成される長方形状に切り出したような静止画像ＳＧ１及びＳＧ２を生成する。
【００４５】
これによりデジタルスチルカメラＤＳＣは、長方形状の一部に、又は全体にわたって人の顔や建物、風景等ような見る対象（すなわち、この場合は被写体であり、以下、これをオブジェクトとも呼ぶ）の姿形を描いた静止画像ＳＧ１及びＳＧ２を生成する。
【００４６】
ところでデジタルスチルカメラＤＳＣは、このような長方形状の静止画像ＳＧ１及びＳＧ２を生成したとき、当該静止画像ＳＧ１及びＳＧ２において表示の際の表示向きを示すための上下左右を一律に規定している。
【００４７】
すなわち、デジタルスチルカメラＤＳＣは、静止画像ＳＧ１及びＳＧ２において上端面１５Ｃ側の一方の長辺を、上述の画面上端側に位置させる画像上端と規定し、下端面１５Ｄ側の他方の長辺を、上述の画面下端側に位置させる画像下端と規定している。
【００４８】
またデジタルスチルカメラＤＳＣは、かかる静止画像ＳＧ１及びＳＧ２において右側面１５Ｅ側の一方の短辺を、上述の画面右端側に位置させる画像右端と規定し、左側面１５Ｆ側の他方の短辺を、上述の画面左端側に位置させる画像左端と規定している。
【００４９】
因みに、デジタルスチルカメラＤＳＣは、静止画像ＳＧ１及びＳＧ２の上下左右を、静止画像ＳＧ１及びＳＧ２を形成する静止画像データにおいて当該静止画像ＳＧ１及びＳＧ２内の各画素のデータ（以下、これを画素データとも呼ぶ）の並び等で規定している。
【００５０】
なお、以下の説明では、静止画像ＳＧ１及びＳＧ２において、当該静止画像ＳＧ１及びＳＧ２の長辺と平行な方向（すなわち、画像右端から画像左端へ向かう方向及び画像左端から画像右端へ向かう方向の両方向）を、画像長手方向とも呼ぶ。
【００５１】
また、以下の説明では、静止画像ＳＧ１及びＳＧ２において、当該静止画像ＳＧ１及びＳＧ２の短辺と平行な方向（すなわち、画像上端から画像下端へ向かう方向及び画像下端から画像上端へ向かう方向の両方向）を、画像短手方向とも呼ぶ。
【００５２】
ただしデジタルスチルカメラＤＳＣは、このように静止画像ＳＧ１及びＳＧ２の上下左右を規定するものの、シャッタボタンＳＢが上に向けられた筐体保持姿勢で写真撮影すると、画像下方向が画像上端から画像下端の方向に向いた静止画像ＳＧ１を生成する。
【００５３】
またデジタルスチルカメラＤＳＣは、シャッタボタンＳＢが右や左に向けられた筐体保持姿勢で写真撮影すると、画像下方向が画像左端から画像右端の方向や画像右端から画像左端の方向に向いた静止画像ＳＧ２を生成する。
【００５４】
このようにデジタルスチルカメラＤＳＣは、写真撮影時の筐体保持姿勢に応じて、画像下方向の向きが異なる静止画像ＳＧ１及びＳＧ２を生成している。
【００５５】
因みに、画像下方向とは、静止画像ＳＧ１及びＳＧ２に描かれたオブジェクトの姿形の上下を、視線の上下に合わせるように、当該静止画像ＳＧ１及びＳＧ２を正しい表示向きで表示するための基準となるものである。
【００５６】
また、このようにデジタルスチルカメラＤＳＣにより被写体を写真撮影して静止画像ＳＧ１及びＳＧ２を生成した場合、画像下方向は、写真撮影時の視野像に対する鉛直下方向となる。
【００５７】
デジタルスチルカメラＤＳＣは、写真撮影時、このように上下左右（すなわち、画像上端、画像下端、画像左端及び画像右端）を規定した静止画像ＳＧ１及びＳＧ２の静止画像データと共に、その静止画像データを含む画像ファイルを生成する。
【００５８】
そしてデジタルスチルカメラＤＳＣによって生成された画像ファイルは、当該デジタルスチルカメラＤＳＣにより直接、又はそのデジタルスチルカメラＤＳＣから画像ファイルを取り込んだパーソナルコンピュータ等によって画像表示装置１に提供される。
【００５９】
またデジタルスチルカメラＤＳＣによって生成された画像ファイルは、当該デジタルスチルカメラＤＳＣにより、又はそのデジタルスチルカメラＤＳＣから画像ファイルを取り込んだパーソナルコンピュータ等によって上述の記録メディアに記録される。
【００６０】
ところで、従来の画像管理装置のような一般的な表示装置でも、表示部の表示画面において、本実施の形態による画像表示装置１の表示部１０の表示画面１０Ａと同様に画面上端、画面下端、画面右端及び画面左端が規定されている。
【００６１】
そして一般的な表示装置は、表示画面に対し静止画像をその上下左右の規定に従い画面上端側に画像上端を位置させ、画面下端側に画像下端を位置させ、画面右端側に画像右端を位置させ、画面左端側に画像左端を位置させる表示向きで表示させる。
【００６２】
すなわち、一般的な表示装置は、静止画像の画像下方向の向きにかかわらずに、表示画面に静止画像を、画像長手方向を画面横方向と平行にし、かつ画像短手方向を画面縦方向と平行にした表示状態で表示する。
【００６３】
よって一般的な表示装置は、視線の上を画面上端側とし当該視線の下を画面下端側として表示画面が見られると、画像下方向が画面上端から画面下端に向いた静止画像を、視線の上下にオブジェクトの上下を合わせた正しい表示向きで見せることができる。
【００６４】
しかしながら一般的な表示装置は、視線の上を画面上端側とし当該視線の下を画面下端側として表示画面が見られると、画像下方向が画面左端から画面右端に向いた静止画像を、視線の上下とオブジェクトの上下とが異なる表示向きで見せることになる。
【００６５】
また一般的な表示装置は、視線の上を画面上端側とし当該視線の下を画面下端側として表示画面が見られると、画像下方向が画面右端から画面左端に向いた静止画像も、視線の上下とオブジェクトの上下とが異なる表示向きで見せることになる。
【００６６】
このため画像表示装置１は、表示画面１０Ａに静止画像を表示するときの画面上端側に画像上端を位置させ、画面下端側に画像下端を位置させ、画面右端側に画像右端を位置させ、画面左端側に画像左端を位置させる表示向きを基準表示向きとする。
【００６７】
そして画像表示装置１は、表示画面１０Ａに複数の静止画像を一覧表示する際、所望の静止画像を、基準表示向きの表示状態からその画像中心点を中心にして例えば右方向へ回転させて表示向きを変更し得るようになされている。
【００６８】
実際上、図４に示すように、画像ファイルＧＦは、例えば、Ｅｘｉｆ（Exchangeable  image  file  format）に準じて、静止画像の静止画像データＳＤのヘッダ部分にヘッダデータＨＤが付加されて生成されている。
【００６９】
かかる静止画像データＳＤは、例えば、被写体を写真撮影して非圧縮で、又はＪＰＥＧ（Joint  Photographic  Experts  Group）形式で圧縮符号化されて生成されている。
【００７０】
またヘッダデータＨＤには、当該ヘッダデータＨＤを含む画像ファイルＧＦ固有のファイル名が格納されている。
【００７１】
さらにヘッダデータＨＤには、当該ヘッダデータＨＤが付加された静止画像データＳＤに関する関連情報として、当該静止画像データＳＤの生成日時でもある写真撮影の撮影日時を示す撮影日時情報が格納されている。
【００７２】
さらにヘッダデータＨＤには、静止画像データＳＤに関する関連情報として、当該静止画像データＳＤの生成時でもある写真撮影時の撮影モードを示すモード情報等のように種々の情報も格納されている。
【００７３】
因みに、撮影モードは、写真撮影時にユーザにより選択される人物を撮影するための撮影モードや、風景を撮影するための撮影モード等であり、撮影対象の被写体に合わせて撮影条件（撮影距離や露出等）を設定するためのものでもある。
【００７４】
ところでデジタルスチルカメラには、被写体を写真撮影して静止画像を生成したとき、当該静止画像の画像下方向を検出するものがある。
【００７５】
そしてヘッダデータＨＤには、かかる構成のデジタルスチルカメラにより画像ファイルＧＦが生成された場合、静止画像の関連情報として当該静止画像について検出された画像下方向を示す下方向情報が格納されている。
【００７６】
因みに、かかる構成のデジタルスチルカメラには、例えば、被写体を写真撮影して静止画像を生成したとき、筐体の上端面、下端面、右側面及び左側面のうち鉛直下方向を向いた面を検出するための重力センサが設けられている。
【００７７】
そして、かかる構成のデジタルスチルカメラは、被写体を写真撮影して静止画像を生成したとき、重力センサにより筐体の上端面、下端面、右側面及び左側面のうち鉛直下方向を向いた面を検出し、その検出結果に基づき当該静止画像の画像下方向を検出する。
【００７８】
実際に、かかる構成のデジタルスチルカメラは、写真撮影時、筐体の下端面が鉛直下方向を向いたことを検出すると、これに応じて静止画像の画像下方向が画像上端から画像下端に向いた方向であると検出する。
【００７９】
またデジタルスチルカメラは、写真撮影時、筐体の上端面が鉛直下方向を向いたことを検出すると、これに応じて静止画像の画像下方向が画像下端から画像上端に向いた方向であると検出する。
【００８０】
さらにデジタルスチルカメラは、写真撮影時、筐体の右側面が鉛直下方向を向いたことを検出すると、これに応じて静止画像の画像下方向が画像左端から画像右端に向いた方向であると検出する。
【００８１】
さらにまたデジタルスチルカメラは、写真撮影時、筐体の左側面が鉛直下方向を向いたことを検出すると、これに応じて静止画像の画像下方向が画像右端から画像左端に向いた方向であると検出する。
【００８２】
またデジタルスチルカメラには、被写体を写真撮影したときにＧＰＳ（Global  Positioning  System）を利用して当該デジタルスチルカメラによる被写体の写真撮影位置（緯度及び経度として）を検出するものもある。
【００８３】
そしてヘッダデータＨＤには、かかる構成のデジタルスチルカメラにより画像ファイルＧＦが生成された場合、静止画像の関連情報として、写真撮影位置を示す位置情報が格納されている。
【００８４】
制御部２は、記憶部３に画像ファイルＧＦを記憶した状態で、ユーザにより操作入力部７を介して静止画像に対する表示状態の設定が要求されると、記憶部３から、これに記憶している全ての画像ファイルＧＦを読み出してＲＡＭ６に一時記録する。
【００８５】
そして制御部２は、これら全ての画像ファイルＧＦにおいてヘッダデータＨＤに下方向情報が格納されているか否かを検出する。
【００８６】
その結果、制御部２は、ヘッダデータＨＤに下方向情報が格納されてはいないと、当該ヘッダデータＨＤを含む画像ファイルＧＦに、後述する処理において静止画像を、その画像中心点を中心に回転させるための回転情報を何ら対応付けないようにする。
【００８７】
また制御部２は、ヘッダデータＨＤに下方向情報が格納されていると、当該下方向情報の示す画像下方向が静止画像の画像上端から画像下端に向いた方向であるか否かを判別する。
【００８８】
その結果、制御部２は、下方向情報の示す画像下方向が、静止画像の画像上端から画像下端に向いた方向であると、対応する画像ファイルＧＦに対し上述と同様に静止画像を回転させるための回転情報を何ら対応付けないようにする。
【００８９】
また制御部２は、下方向情報の示す画像下方向が、静止画像の画像上端から画像下端に向いた方向とは異なる方向であると、当該下方向情報に基づいて静止画像をその画像中心点を中心にして例えば右方向に回転させるための回転角度を示す回転情報を生成する。
【００９０】
因みに、制御部２は、下方向情報の示す画像下方向が、静止画像の画像下端から画像上端に向いた方向であると、右方向への回転角度を１８０度とした回転情報を生成する。
【００９１】
また制御部２は、下方向情報の示す画像下方向が、静止画像の画像左端から画像右端に向いた方向であると、右方向への回転角度を２７０度とした回転情報を生成する。
【００９２】
さらに制御部２は、下方向情報の示す画像下方向が、静止画像の画像右端から画像左端に向いた方向であると、右方向への回転角度を９０度とした回転情報を生成する。
【００９３】
そして制御部２は、このように回転情報を生成すると、当該回転情報を後述の処理用として画像ファイルＧＦに対応付けてＲＡＭ６に一時記録する。
【００９４】
次いで、制御部２は、ＲＡＭ６から複数の静止画像データＳＤを順次読み出して、当該読み出した複数の静止画像データに対し、画像認識処理の認識精度を向上させるために静止画像の歪みやノイズを除去して画質を補正する補正処理を施す。
【００９５】
そのうえで制御部２は、静止画像データに基づく静止画像の種類、すなわち、どのようなオブジェクトの姿形が描かれた静止画像であるのかを認識するための画像認識処理を実行する。
【００９６】
ここで、制御部２は、記憶部３において、画像認識用にオブジェクトの姿形が描かれた基準画像（以下、これを認識基準画像とも呼ぶ）を管理するためのデータベース（以下、これを画像管理データベースとも呼ぶ）を構築している。
【００９７】
そして制御部２は、それぞれ異なるオブジェクトの姿形が描かれた複数種類の認識基準画像の認識基準画像データを画像管理データベースに登録するようにして、これら複数種類の認識基準画像の認識基準画像データを記憶部３に記憶している。
【００９８】
実際に制御部２は、記憶部３に対し画像認識用のオブジェクトとして人、獣、鳥、魚、昆虫等の動物や、花、木等の植物等の生物の姿形が描かれた複数の認識基準画像の認識基準画像データを、オブジェクトの名称と対応付けて記憶している。
【００９９】
また制御部２は、記憶部３に対し画像認識用のオブジェクトとして文字や図形等の記号の姿形が描かれた複数の認識基準画像の認識基準画像データも、オブジェクトの名称と対応付けて記憶している。
【０１００】
さらに制御部２は、記憶部３に対し画像認識用のオブジェクトとして観光名所の建物や橋等のような特定の建造物の姿形が描かれた複数の認識基準画像の認識基準画像データも、オブジェクトの名称と対応付けて記憶している。因みに、以下の説明では。観光名所の建物や橋等のような特定の建造物を、ランドマークとも呼ぶ。
【０１０１】
さらに制御部２は、記憶部３に対し画像認識用のオブジェクトとして乗り物や装飾品等のような人工物の姿形が描かれた複数の認識基準画像の認識基準画像データも、オブジェクトの名称と対応付けて記憶している。
【０１０２】
さらに制御部２は、記憶部３に対し画像認識用のオブジェクトとして田園や山並み等のような風景の姿形が描かれた複数の認識基準画像の認識基準画像データも、オブジェクトの名称と対応付けて記憶している。
【０１０３】
これらの認識基準画像データは、例えば、実物の生物やランドマーク等を被写体として写真撮影して生成された元画像データや、コンピュータグラフィックスを利用して生成された元画像データに加工処理を施して生成されている。
【０１０４】
ところで、元画像データに基づく元画像は、上下左右が規定され、画像下方向が画像上端から画像下端に向かう方向となるようにオブジェクトの姿形が描かれて生成されている。
【０１０５】
また認識基準画像データの生成用として元画像データに施す加工処理としては、オブジェクトの認識精度を向上させるためのものであり、暗所ノイズの除去処理やフーリエ変換による輪郭抽出処理等がある。
【０１０６】
そして加工処理は、オブジェクトの種類に応じて選定されており、かかる加工処理としての暗所ノイズの除去処理は、例えば、オブジェクトとしての夜景の認識精度を向上させるために、夜景が描かれた元画像の元画像データに施されている。
【０１０７】
また、かかる加工処理としての輪郭抽出処理は、例えば、オブジェクトとしての生物や記号、ランドマーク等の認識精度を向上させるために、生物や記号、ランドマーク等が描かれた元画像の元画像データに施されている。
【０１０８】
ところで、制御部２は、記憶部３に対し、例えば、オブジェクトとしてのランドマークの姿形が描かれた認識基準画像の認識基準画像データに、当該ランドマークの所在位置を緯度及び経度で示す位置情報を対応付けて記憶している。
【０１０９】
また制御部２は、記憶部３に対し、例えば、人物や風景等のように、写真撮影時の撮影モードで特定可能な種類のオブジェクトが描かれた認識基準画像の認識基準画像データに、その撮影モードを示すモード情報を対応付けて記憶している。
【０１１０】
制御部２は、ＲＡＭ６から個々の画像ファイルＧＦ内の静止画像データＳＤを順番に読み出すようにして、１つの静止画像データＳＤを読み出す毎に、当該１つの静止画像データＳＤを用いて画像認識処理を実行する。
【０１１１】
実際に制御部２は、ＲＡＭ６から１つの静止画像データＳＤを読み出す毎に、当該読み出した静止画像データＳＤを含む画像ファイルＧＦに上述した回転情報を対応付けているか否かを判別する。
【０１１２】
その結果、制御部２は、静止画像データＳＤを含む画像ファイルＧＦに回転情報を対応付けてはいないと、その静止画像データＳＤに基づく静止画像をそのまま認識対象とする。
【０１１３】
すなわち、制御部２は、静止画像を、上述のように表示画面１０Ａに当該静止画像の上下左右の規定に従って表示するときの基準表示向きに相当する状態のまま認識対象とする。
【０１１４】
因みに、以下の説明では、静止画像を、表示画面１０Ａに当該静止画像の上下左右の規定に従って表示する基準表示向きに相当する状態を、基準表示向き状態とも呼ぶ。
【０１１５】
また基準表示向き状態とは、例えば、説明の便宜上、水平方向及び垂直方向を不変の基準にすると、静止画像において画像長手方向が水平方向と平行で、かつ画像短手方向が垂直方向と平行になり、垂直方向の上側に画像上端が位置し、かつ当該垂直方向の下側に画像下端が位置する状態である。
【０１１６】
これに対して制御部２は、静止画像データＳＤを含む画像ファイルＧＦに回転情報を対応付けていると、その回転情報に従って当該静止画像データＳＤに回転処理を施す。
【０１１７】
これにより制御部２は、回転情報を対応付けた画像ファイルＧＦ内の静止画像データＳＤについては、静止画像を、基準表示向き状態から画像中心点を中心にして回転情報が示す右方向への回転角度だけ回転させたうえで認識対象とする。
【０１１８】
このようにして制御部２は、１つの静止画像を認識対象とすると、例えば、まず当該静止画像の静止画像データＳＤに２値化処理を施して、２色で表現される静止画像（以下、これを２色画像とも呼ぶ）を生成する。
【０１１９】
そして制御部２は、その２色画像が、直線状の１本の境界線を境にして隣接する一方の色の部分及び他方の色の部分のみを有しているか否かを判別する。
【０１２０】
その結果、制御部２は、２色画像が１本の境界線を境にして隣接する一方の色の部分及び他方の色の部分のみを有していると、認識対象の静止画像が、オブジェクトとしての地平線（又は水平線）が描かれた画像であると認識する。
【０１２１】
ただし、オブジェクトとしての地平線（又は水平線）が描かれた静止画像については、例えば、空の部分よりも、画像下方向側の地面（又は、海面）の部分が濃い色を有している。
【０１２２】
このためオブジェクトとしての地平線（又は水平線）が描かれた静止画像を２値化処理して得られる２色画像については、画像下方向側の地面（又は、海面）に相当する部分の色が、空に相当する部分よりも濃い（暗い）色となる。
【０１２３】
よって制御部２は、静止画像を認識すると、２色画像において一方の色の部分と他方の色の部分との境界線が水平方向と平行であるか否かを検出する。
【０１２４】
その結果、制御部２は、２色画像において境界線が水平方向と平行であると、色の濃い部分が垂直方向の下側に位置しているか（すなわち、静止画像の画像下方向が垂直方向の下側に向いているか）否かを検出する。
【０１２５】
制御部２は、２色画像において色の濃い部分が垂直方向の下側に位置していると、当該２色画像に対する基準表示向き状態からの右方向への回転角度を、元の静止画像の表示の際、画像下方向を画面下端に向けるように表示向きを補正可能な回転角度として検出する。
【０１２６】
因みに、以下の説明では、静止画像の表示の際、画像下方向を画面下端に向けるように表示向きを補正可能な回転角度を、補正回転角度とも呼ぶ。
【０１２７】
そして制御部２は、その補正回転角度（すなわち、基準表示向き状態からの右方向への回転角度）を、２色画像の元となる認識対象の静止画像の表示に利用する回転角度情報とする。
【０１２８】
ただし制御部２は、このとき２色画像を基準表示向き状態から何ら回転させてはいないと、０度の補正回転角度を示す回転角度情報を生成する。
【０１２９】
一方、制御部２は、２色画像において境界線が垂直方向と平行であると、その境界線を水平方向と平行にし、かつ色の濃い部分を垂直方向の下側に位置させるために２色画像を基準表示向き状態から回転させる右方向への補正回転角度を検出する。
【０１３０】
そして制御部２は、その検出した右方向への補正回転角度を、認識対象の静止画像の表示に利用する回転角度情報とする。
【０１３１】
このようにして制御部２は、認識対象の静止画像で描かれたオブジェクトを認識すると、その回転角度情報を、当該認識したオブジェクトの名称（すなわち、地平線（又は水平線））と対応付けて示す認識結果情報を生成する。
【０１３２】
そして制御部２は、その認識結果情報を、認識対象の静止画像の静止画像データＳＤに対応付けるようにしてＲＡＭ６に一時記録する。
【０１３３】
ところで制御部２は、２色画像が１本の境界線を境にして隣接する一方の色の部分及び他方の色の部分のみを有するような画像とは異なるものであると、記憶部３から複数の認識基準画像データを順次比較対象として、予め選定された読出順序で読み出す。
【０１３４】
制御部２は、記憶部３から１つの認識基準画像データを読み出す毎に、認識対象の静止画像の静止画像データＳＤに、その認識基準画像データの生成に利用された加工処理と同じ加工処理を施す。
【０１３５】
これにより制御部２は、認識対象の静止画像を、認識基準画像と同じ性質の画像（すなわち、輪郭の抽出された画像等）にする。
【０１３６】
また制御部２は、加工処理を施した静止画像（以下、これを加工静止画像とも呼ぶ）と認識基準画像とを、当該認識基準画像により認識可能なオブジェクトの種類に応じたパターンマッチング手法や、相互相関関数の算出手法等の比較手法で比較して類似度を求める。
【０１３７】
ここで、類似度は、例えば、「０」以上「１」以下の値を示すものであり、値が「０」に近いほど類似度が低く、値が「１」に近いほど類似度が高いことを示す。
【０１３８】
すなわち、静止画像と認識基準画像とを比較して例えば、「１」の値の類似度を得ると、静止画像には、認識基準画像に描かれたオブジェクトと種類や向き（すなわち、画像下方向）と共に姿形までも一致するオブジェクトが描かれていることを表す。
【０１３９】
このため制御部２は、このようにして加工静止画像と認識基準画像との類似度を求めると、当該求めた類似度を、例えば、比較的大きい値（すなわち、「１」の値に極力近い値）に予め選定された第１の閾値と比較する。
【０１４０】
よって制御部２は、第１の閾値以上の類似度を得ると、認識対象の静止画像が、このときの比較対象の認識基準画像（すなわち、第１の閾値以上の類似度を得た認識基準画像）が示すオブジェクトの姿形が描かれた画像であると精度良く認識することができる。
【０１４１】
そして制御部２は、このように認識対象の静止画像を認識すると、加工静止画像に対する基準表示向き状態からの右方向への回転角度を検出して、当該加工静止画像の元となる認識対象の静止画像の表示に利用する回転角度情報とする。
【０１４２】
ただし制御部２は、このとき加工静止画像を基準表示向き状態から何ら回転させてはいないと、０度の回転角度を示す回転角度情報を生成する。
【０１４３】
また制御部２は、加工静止画像と認識基準画像との類似度が第１の閾値よりも小さいと、加工静止画像を画像中心点を中心にして例えば、順次右方向に９０度ずつ２７０度まで回転させながら、同じ認識基準画像と同じ比較手法で比較して類似度を求めるようにする。
【０１４４】
そして制御部２は、このように加工静止画像を順次回転させながら、認識基準画像と比較して類似度を求める毎に、当該求めた類似度を第１の閾値と比較する。
【０１４５】
このようにして制御部２は、加工静止画像を９０度、１８０度、２７０度と回転させた何れかの状態で第１の閾値以上の類似度を得ると、上述と同様に認識対象の静止画像が、認識基準画像が示すオブジェクトの姿形が描かれた画像であると認識する。
【０１４６】
そして制御部２は、認識対象の静止画像を認識すると、当該認識対象の静止画像を認識したときの加工静止画像に対する基準表示向き状態からの右方向への回転角度を、当該認識対象の静止画像の表示に利用する回転角度情報とする。
【０１４７】
このようにして制御部２は、認識対象の静止画像を適宜回転させながら、認識基準画像と比較することにより、互いの画像下方向を合わせて類似度を求めることができ、かくして静止画像の認識率を高めることができる。
【０１４８】
制御部２は、認識対象の静止画像を認識し、回転角度情報を生成すると、当該回転角度情報と、このとき比較対象とした認識基準画像データに対応するオブジェクトの名称（すなわち、生物やランドマーク等の名称）とを対応付けて示す認識結果情報を生成する。
【０１４９】
そして制御部２は、その認識結果情報を、認識対象の静止画像の静止画像データＳＤに対応付けるようにしてＲＡＭ６に一時記録して、当該認識対象の静止画像に対する画像認識処理を終了する。
【０１５０】
このようにして制御部２は、１つの認識対象の静止画像に対する画像認識処理を終了すると、ＲＡＭ６から次の１つの静止画像データＳＤを読み出して、上述と同様に画像認識処理を実行する。
【０１５１】
また制御部２は、加工静止画像を２７０度まで回転させて認識基準画像と比較しても、第１の閾値以上の類似度が得られないと、認識対象の静止画像は変えずに、記憶部３から次の１つの認識基準画像データを読み出して、上述と同様に比較処理を実行する。
【０１５２】
ところで、制御部２は、認識対象の静止画像を、全ての認識基準画像と比較しても、第１の閾値以上の類似度が得られないと（すなわち、静止画像を認識し得ないと）、その認識対象の静止画像に対する画像認識処理を保留する。
【０１５３】
そして制御部２は、このときもＲＡＭ６から次の１つの静止画像データＳＤを読み出して、上述と同様に画像認識処理を実行する。
【０１５４】
ところで制御部２は、例えば、認識対象の静止画像に加工処理として輪郭抽出処理を施した場合、加工静止画像内に、異なる輪郭で囲まれる輪郭部分が複数存在すると、これら複数の輪郭部分の面積を比較するようにして、最も大きい輪郭部分を検出する。
【０１５５】
そして制御部２は、加工静止画像において、その検出した最も大きい輪郭部分を、認識基準画像と比較するようにして類似度を求める。
【０１５６】
これにより制御部２は、加工静止画像内に複数の輪郭部分が存在する場合に、認識基準画像との比較処理が煩雑化して処理負荷が増大することを回避している。
【０１５７】
また制御部２は、上述したように記憶部３から複数の認識基準画像データを順次比較対象として読み出すときには、まず認識対象の静止画像の静止画像データＳＤに対応するヘッダデータＨＤに、位置情報が格納されているか否かを検出する。
【０１５８】
制御部２は、ヘッダデータＨＤに位置情報が格納されていると、記憶部３に当該位置情報が示す写真撮影位置と一致する又は写真撮影位置を中心とした所定範囲内の所在位置を示す位置情報を対応付けた認識基準画像データを記憶しているか否かを検出する。
【０１５９】
その結果、制御部２は、記憶部３に、写真撮影位置と一致又は当該写真撮影位置を中心とした所定範囲内の所在位置を示す位置情報を対応付けた１つの認識基準画像データを記憶していると、当該記憶部３からまず、その認識基準画像データを読み出す。
【０１６０】
そして制御部２は、このように記憶部３から読み出した認識基準画像データを用いて上述と同様に比較処理を実行する。
【０１６１】
その結果、制御部２は、かかる認識基準画像データを用いて、認識対象の静止画像を認識し得ると、上述と同様に認識結果情報を生成してＲＡＭ６に一時記録した後、当該認識対象の静止画像に対する画像認識処理を終了する。
【０１６２】
そして制御部２は、ＲＡＭ６から次の１つの静止画像データＳＤを読み出して、上述と同様に画像認識処理を実行する。
【０１６３】
これに対して制御部２は、かかる認識基準画像データを用いても、認識対象の静止画像を認識し得ないと、認識対象の静止画像は変えずに記憶部３から当該認識基準画像データを除く他の認識基準画像データを上述した読出順序で順次読み出すようにする。
【０１６４】
そして制御部２は、その記憶部３から順次読み出した認識基準画像データを用いて上述と同様に比較処理を実行する。
【０１６５】
また制御部２は、認識対象の静止画像の静止画像データＳＤに対応するヘッダデータＨＤに、位置情報が格納されてはいないと、そのヘッダデータＨＤにモード情報が格納されているか否かを検出する。
【０１６６】
その結果、制御部２は、ヘッダデータＨＤにモード情報が格納されてはいないと、記憶部３から複数の認識基準画像データを上述した読出順序で順次読み出すようにして、上述と同様に比較処理を実行する。
【０１６７】
これに対して制御部２は、ヘッダデータＨＤにモード情報が格納されていると、記憶部３に当該モード情報が示す撮影モードと一致する撮影モードを示すモード情報を対応付けた認識基準画像データを記憶しているか否かを検出する。
【０１６８】
その結果、制御部２は、記憶部３に、写真撮影時の撮影モードと一致する撮影モードを示すモード情報を対応付けた、例えば１つの認識基準画像データを記憶していると、当該記憶部３から、その認識基準画像データを読み出す。
【０１６９】
そして制御部２は、このように記憶部３から読み出した認識基準画像データを用いて上述と同様に比較処理を実行する。
【０１７０】
その結果、制御部２は、かかる認識基準画像データを用いて、認識対象の静止画像を認識し得ると、上述と同様に認識結果情報を生成してＲＡＭ６に一時記録した後、当該認識対象の静止画像に対する画像認識処理を終了する。
【０１７１】
そして制御部２は、ＲＡＭ６から次の１つの静止画像データＳＤを読み出して、上述と同様に画像認識処理を実行する。
【０１７２】
これに対して制御部２は、かかる認識基準画像データを用いても、認識対象の静止画像を認識し得ないと、認識対象の静止画像は変えずに記憶部３から当該認識基準画像データを除く他の認識基準画像データを上述した読出順序で順次読み出すようにする。
【０１７３】
そして制御部２は、その記憶部３から順次読み出した認識基準画像データを用いて上述と同様に比較処理を実行する。
【０１７４】
因みに制御部２は、上述したようにヘッダデータＨＤに位置情報が格納されていても、記憶部３に、対応する位置情報を対応付けた認識基準画像データを記憶してはいないと、引き続き、そのヘッダデータＨＤにモード情報が格納されているか否かを検出する。
【０１７５】
そして制御部２は、引き続き上述したようにヘッダデータＨＤにモード情報が格納されている場合や当該モード情報が格納されてはいない場合と同様の処理を実行する。
【０１７６】
このようにして制御部２は、認識対象の静止画像を順次１つの認識基準画像と比較するとき、当該静止画像を認識し得る可能性の高い認識基準画像を優先的に用いて、比較処理の実行回数を極力減らすようにしている。
【０１７７】
ところで制御部２は、静止画像を認識基準画像と比較するとき、当該認識基準画像の上下左右を固定している。また制御部２は、静止画像を何ら回転させずに認識対象として認識基準画像と比較するときだけは、当該認識基準画像の上下左右に静止画像の上下左右が合うようにしている。
【０１７８】
さらに制御部２は、認識基準画像は回転させずに静止画像のみを適宜回転させるようにして当該静止画像を認識基準画像と比較する。
【０１７９】
よって制御部２は、互いに同じオブジェクトが描かれた静止画像と認識基準画像とを比較すると、当該静止画像の画像下方向と認識基準画像の画像下方向とが一致したときに最も大きい値の類似度を得て、その静止画像を認識することができる。
【０１８０】
このため制御部２は、静止画像に対する認識時点の基準表示向き状態からの右方向への回転角度も、上述と同様に静止画像を表示する際、画像下方向を画面下端に向けるように表示向きを補正可能な補正回転角度として検出することができる。
【０１８１】
そして制御部２は、静止画像を認識したときに検出した補正回転角度（すなわち、基準表示向き状態からの右方向への回転角度）を回転角度情報として保存している。
【０１８２】
制御部２は、画像認識処理が終了した時点に、どのようなオブジェクトが描かれたものであるかを認識し得なかった（すなわち、画像認識処理を保留した）静止画像が存在すると、その静止画像と似ている他の静止画像を検索する類似画像検索処理を実行する。
【０１８３】
この際、制御部２は、ＲＡＭ６から、先の画像認識処理でどのような画像であるか認識し得なかった静止画像の静止画像データＳＤを順番に読み出すようにする。
【０１８４】
そして制御部２は、ＲＡＭ６から１つの静止画像データＳＤを読み出す毎に、当該１つの静止画像データＳＤを用いて類似画像検索処理を実行する。
【０１８５】
実際に制御部２は、ＲＡＭ６から１つの静止画像データＳＤを読み出す毎に、当該読み出した静止画像データＳＤを含む画像ファイルＧＦに、上述した回転情報を対応付けているか否かを判別する。
【０１８６】
その結果、制御部２は、静止画像データＳＤを含む画像ファイルＧＦに回転情報を対応付けてはいないと、その静止画像データＳＤに基づく静止画像を、基準表示向き状態のまま検索元とする。
【０１８７】
これに対して制御部２は、静止画像データＳＤを含む画像ファイルＧＦに回転情報を対応付けていると、その回転情報に従って当該静止画像データＳＤに回転処理を施す。
【０１８８】
これにより制御部２は、回転情報を対応付けた画像ファイルＧＦ内の静止画像データＳＤについては、静止画像を、基準表示向き状態から画像中心点を中心にして回転情報が示す右方向への回転角度だけ回転させたうえで検索元とする。
【０１８９】
また制御部２は、検索元とした静止画像の静止画像データ（以下、これを検索元静止画像データとも呼ぶ）ＳＤに対して、輪郭抽出処理又はテクスチャ（特定の模様や色の部分等）抽出処理のような抽出処理を施す。
【０１９０】
この状態で制御部２は、ＲＡＭ６から検索元の静止画像の静止画像データＳＤに対応するヘッダデータＨＤ内の撮影日時情報と、認識済みの静止画像の静止画像データＳＤに対応するヘッダデータＨＤ内の撮影日時情報とを読み出す。
【０１９１】
因みに、以下の説明では、認識済みの静止画像の静止画像データＳＤを、認識済静止画像データＳＤとも呼ぶ。
【０１９２】
そして制御部２は、各撮影日時情報に基づきＲＡＭ６から複数の認識済静止画像データＳＤを、探索元静止画像データＳＤが生成された撮影日時と最も近い撮影日時に生成されたものから最も離れた撮影日時に生成されたものまでの順番で読み出すようにする。
【０１９３】
このようにして制御部２は、ＲＡＭ６から１つの認識済静止画像データＳＤを読み出す毎に、当該読み出した認識済静止画像データＳＤに対応付けている回転角度情報も読み出す。
【０１９４】
そして制御部２は、認識済静止画像データＳＤに対し、その回転角度情報に従い回転処理を施すことにより、当該認識済静止画像データＳＤに基づく認識済みの静止画像をその画像中心点を中心にして適宜回転させる。
【０１９５】
また制御部２は、その認識済静止画像データＳＤに対して上述と同じ抽出処理を施すことにより、認識済みの静止画像を、検索元の静止画像と同じ性質の画像（すなわち、輪郭又はテクスチャ等の抽出された画像等）にする。
【０１９６】
この状態で制御部２は、抽出処理を施した検索元の静止画像（以下、これを検索元抽出画像とも呼ぶ）と、抽出処理を施した認識済の静止画像（以下、これを認識済抽出画像とも呼ぶ）とを、パターンマッチング手法のような比較手法で比較して類似度を求める。
【０１９７】
制御部２は、このようにして検索元抽出画像と認識済抽出画像との類似度を求めると、当該求めた類似度を、予め選定された第２の閾値と比較する。
【０１９８】
その結果、制御部２は、第２の閾値以上の類似度を得ると、当該第２の閾値以上の類似度を得た認識済の静止画像が、検索元の静止画像と絵柄の似ている画像であると判断する。
【０１９９】
そして制御部２は、このようにして検索元の静止画像と絵柄の似ている認識済みの静止画像画像を検索すると、当該検索元の静止画像が、その認識済みの静止画像と同じオブジェクトの姿形が描かれた画像であると認識する。
【０２００】
このようにして制御部２は、検索元の静止画像を認識すると、検索元抽出画像に対する基準表示向き状態からの右方向への回転角度を、当該検索元抽出画像の元となる検索元の静止画像の表示に利用する回転角度情報とする。
【０２０１】
ただし制御部２は、このとき検索元抽出画像を基準表示向き状態から何ら回転させてはいないと、０度の回転角度を示す回転角度情報を生成する。
【０２０２】
また制御部２は、検索元抽出画像と認識済抽出画像との類似度が第２の閾値よりも小さいと、検索元抽出画像を画像中心点を中心にして順次右方向に９０度ずつ２７０度まで回転させながら、同じ認識済抽出画像と同じ比較手法で比較して類似度を求めるようにする。
【０２０３】
そして制御部２は、このように検索元抽出画像を順次回転させながら、認識済抽出画像と比較して類似度を求める毎に、当該求めた類似度を第２の閾値と比較する。
【０２０４】
その結果、制御部２は、検索元抽出画像を９０度、１８０度、２７０度と回転させた何れかの状態で第２の閾値以上の類似度を得ると、上述と同様に第２の閾値以上の類似度を得た認識済の静止画像が、検索元の静止画像と絵柄の似ている画像であると判断する。
【０２０５】
このようにして制御部２は、検索元の静止画像と絵柄の似ている認識済みの静止画像画像を検索すると、当該検索元の静止画像が、その認識済みの静止画像と同じオブジェクトの姿形が描かれた画像であると認識する。
【０２０６】
そして制御部２は、検索元の静止画像を認識すると、当該検索元の静止画像を認識したときの検索元抽出画像に対する基準表示向き状態からの右方向への回転角度を、当該検索元の静止画像の表示に利用する回転角度情報とする。
【０２０７】
このようにして制御部２は、検索元抽出画像を適宜回転させながら、認識済抽出画像と比較することにより、互いの画像下方向を合わせて類似度を求めることができ、かくして絵柄の類似する静止画像の検索率を高めることができる。
【０２０８】
制御部２は、検索元の静止画像を認識し、回転角度情報を生成すると、当該回転角度情報と、このとき検索した認識済みの静止画像に対応するオブジェクトの名称（すなわち、生物やランドマーク等の名称）とを対応付けて示す検索結果情報を生成する。
【０２０９】
そして制御部２は、その検索結果情報を、検索元の静止画像の検索元静止画像データＳＤに対応付けるようにしてＲＡＭ６に一時記録して、当該検索元の静止画像を用いた類似画像検索処理を終了する。
【０２１０】
このようにして制御部２は、１つの検索元の静止画像を用いた類似画像検索処理を終了すると、ＲＡＭ６から次の１つの検索元静止画像データＳＤを読み出して、上述と同様に類似画像検索処理を実行する。
【０２１１】
また制御部２は、検索元抽出画像を２７０度まで回転させて認識済抽出画像と比較しても、第２の閾値以上の類似度が得られないと、検索元の静止画像は変えずに、記憶部３から次の１つの認識済静止画像データを読み出して、上述と同様に比較処理を実行する。
【０２１２】
ところで、上述した第２の閾値は、例えば、上述した第１の閾値よりも小さい値に選定されている。これにより制御部２は、画像認識処理では認識し得ない静止画像があっても、類似画像検索処理において、その静止画像がどのような画像であるのかをほぼ確実に認識し得るようになされている。
【０２１３】
さらにユーザは、例えば、デジタルスチルカメラを用いて被写体を写真撮影するような場合、同じ被写体を、構図を変えながら連続的に複数回、写真撮影する可能性が高い。
【０２１４】
このため制御部２は、類似画像検索処理において検索元の静止画像を、当該検索元の静止画像が生成された撮影日時と最も近い撮影日時に生成された認識済みの静止画像から順に比較するようにした。
【０２１５】
よって制御部２は、画像認識処理では認識し得ない静止画像があっても、類似画像検索処理において、その静止画像がどのようなオブジェクトが描かれた静止画像であるのかを、より精度良く認識することができる。
【０２１６】
また制御部２は、検索元の静止画像を認識済みの静止画像と比較するとき、当該認識済みの静止画像を、回転角度情報に従って適宜回転させる。
【０２１７】
これにより制御部２は、認識済みの静止画像を、その画像下方向を、上述した認識基準画像を比較用に固定したときの画像下方向と同じ向きにして固定している。
【０２１８】
そして制御部２は、検索元の静止画像を認識済みの静止画像と比較するとき、その認識済みの静止画像については回転角度情報を用いた回転以外に追加では回転させずに、検索元の静止画像のみを適宜回転させる。
【０２１９】
よって制御部２は、互いに同じオブジェクトが描かれた検索元の静止画像と認識済みの静止画像とを比較すると、互いの画像下方向が一致したときに最も大きい値の類似度を得て、その検索元の静止画像を認識することができる。
【０２２０】
このため制御部２は、検索元の静止画像に対する認識時点の基準表示向き状態からの右方向への回転角度も、上述と同様に静止画像の表示の際、画像下方向を画面下端に向けるように表示向きを補正可能な補正回転角度として検出することができる。
【０２２１】
そして制御部２は、検索元の静止画像を認識したときに検出した補正回転角度（すなわち、基準表示向き状態からの右方向への回転角度）も回転角度情報として保存している。
【０２２２】
このようにして制御部２は、画像認識処理では認識し得なかった全ての静止画像について類似画像検索処理が終了すると、次いで、静止画像を複数のグループに分類する分類処理を実行する。
【０２２３】
この場合、制御部２は、ＲＡＭ６から静止画像データＳＤに対応付けて一時記録していた認識結果情報及び検索結果情報を全て読み出す。
【０２２４】
また制御部２は、その認識結果情報及び検索結果情報に基づき全ての静止画像データＳＤを、静止画像について認識したオブジェクトの種類で分類する。
【０２２５】
これにより制御部２は、静止画像データＳＤを、人の顔が描かれた静止画像同士や、橋が描かれた静止画像同士等のように、同じ種類のオブジェクトが描かれた静止画像同士、すなわち絵柄の似ている静止画像同士をまとめるようにしてグルーブ化する。
【０２２６】
そして制御部２は、記憶部３に画像ファイルＧＦとして記憶した複数の静止画像データＳＤに基づく静止画像の、表示状態の設定に用いるデータテーブル（以下、これを表示状態設定テーブルとも呼ぶ）を生成する。
【０２２７】
図５に示すように、表示状態設定テーブルＤＴには、記憶部３に記憶された全ての画像ファイルＧＦのファイル名ＦＮが格納されている。
【０２２８】
そして表示状態設定テーブルＤＴには、画像ファイルＧＦ内の静止画像データＳＤが分類されたグループを個別に識別可能なグループ識別情報ＧＩＤが、当該画像ファイルＧＦのファイル名ＦＮに対応付けられて格納されている。
【０２２９】
また表示状態設定テーブルＤＴには、画像ファイルＧＦ内の静止画像データＳＤに基づく静止画像について認識されたオブジェクトの名称ＯＮも、当該画像ファイルＧＦのファイル名ＦＮに対応付けられて格納されている。
【０２３０】
さらに表示状態設定テーブルＤＴには、画像ファイルＧＦ内の静止画像データＳＤに基づく静止画像についてオブジェクトを認識したときに得られた回転角度情報ＲＴも、当該画像ファイルＧＦのファイル名ＦＮに対応付けられて格納されている。
【０２３１】
さらにまた表示状態設定テーブルＤＴには、画像ファイルＧＦ内の静止画像データＳＤに基づく静止画像の表示の有無を示す表示有無設定情報ＳＯＦも、当該画像ファイルＧＦのファイル名ＦＮに対応付けられて格納されている。
【０２３２】
制御部２は、かかる構成の表示状態設定テーブルＤＴを生成したとき、当該表示状態設定テーブルＤＴに格納した表示有無設定情報ＳＯＦの何れについても、対応する静止画像を表示することを示すように初期設定している。そして制御部２は、その表示状態設定テーブルＤＴを記憶部３に送出して記憶する。
【０２３３】
この状態で制御部２は、ＲＡＭ６から複数の静止画像データＳＤを読み出す。また制御部２は、これら複数の静止画像データＳＤに基づき、当該複数の静止画像データＳＤに基づく複数の静止画像をそれぞれ基準表示向きで配置して一括表示するための表示画像データを生成する。
【０２３４】
そして制御部２は、かかる表示画像データを表示部１０に送出することにより、当該表示部１０の表示画面１０Ａに、表示画像データに基づき、複数の静止画像データＳＤに基づく複数の静止画像をそれぞれ基準表示向きで配置して一括表示する。
【０２３５】
ただし制御部２は、表示画面１０Ａに対し表示画像データに基づき、複数の静止画像を、例えば、一列表示、一覧表示及びグループ別表示の３種類の表示形態のうち、何れかの表示形態で配置して表示し得るようになされている。
【０２３６】
そして制御部２は、表示部１０の表示画面１０Ａに対し、複数の静止画像をこれら３種類の表示形態の何れで表示するのかをユーザに操作入力部７を介して任意に選択させるようになされている。
【０２３７】
図６に示すように、制御部２は、ユーザにより一列表示が選択されると、複数の静止画像データＳＤに基づき一列表示用の表示画像データ（以下、これを一列表示画像データとも呼ぶ）を生成する。
【０２３８】
そして制御部２は、その一列表示画像データを表示部１０に送出することにより、表示画面１０Ａに一列表示画像データに基づく一列表示画像２０を表示する。
【０２３９】
この場合、一列表示画像２０には、例えば、画面左端寄りに複数の静止画像ＳＧが画面縦方向と平行に一列に配置されて表示されている。
【０２４０】
また一列表示画像２０には、個々の静止画像ＳＧの右側に、対応する画像ファイルＧＦのファイル名や、写真撮影の撮影日時を示す文字列が表示されている。
【０２４１】
因みに、制御部２は、表示画面１０Ａに一列表示画像２０を表示した状態で、ユーザにより操作入力部７を介してスクロール命令が入力されると、表示画面１０Ａ上で一列表示画像２０を画面縦方向へスクロール（すなわち、移動）させる。
【０２４２】
これにより制御部２は、表示画面１０Ａに一列表示画像２０として複数の静止画像ＳＧを一度には表示しきれないような場合でも、表示画面１０Ａに表示する静止画像ＳＧを適宜変更して、これら複数の静止画像ＳＧを見せることができる。
【０２４３】
また図７に示すように、制御部２は、ユーザにより一覧表示が選択されると、複数の静止画像データＳＤに基づき一覧表示用の表示画像データ（以下、これを一覧表示画像データとも呼ぶ）を生成する。
【０２４４】
そして制御部２は、一覧表示画像データを表示部１０に送出することにより、表示画面１０Ａに一覧表示画像データに基づく一覧表示画像２１を表示する。
【０２４５】
この場合、一覧表示画像２１には、複数の静止画像ＳＧが複数行及び複数列のマトリクス状に配置されて表示されている。
【０２４６】
因みに、制御部２は、表示画面１０Ａに一覧表示画像２１を表示したときにも、ユーザにより操作入力部７を介してスクロール命令が入力されると、表示画面１０Ａ上で一覧表示画像２１を画面縦方向へスクロールさせる。
【０２４７】
これにより制御部２は、表示画面１０Ａに一覧表示画像２１として複数の静止画像ＳＧを一度には表示しきれないような場合でも、表示画面１０Ａに表示する静止画像ＳＧを適宜変更して、これら複数の静止画像ＳＧを見せることができる。
【０２４８】
さらに図８に示すように、制御部２は、ユーザによりグループ別表示が選択されると、例えば、表示状態設定テーブルＤＴに基づき複数の静止画像ＳＧをグループに分ける。
【０２４９】
また制御部２は、そのグループに分けた複数の静止画像データＳＤに基づきグループ別表示用の表示画像データ（以下、これをグループ別表示画像データとも呼ぶ）を生成する。
【０２５０】
そして制御部２は、グループ別表示画像データを表示部１０に送出することにより、表示画面１０Ａにグループ別表示画像データに基づくグループ別表示画像２２を表示する。
【０２５１】
この場合、グループ別表示画像２２には、例えば、グループ毎の１又は複数の静止画像ＳＧがそれぞれ画面横方向と平行に画面左端近傍から画面右端側に向かうように並べられ、全体として複数行に配置されて表示されている。
【０２５２】
因みに制御部２は、表示画面１０Ａにグループ別表示画像２２を表示した状態で、ユーザにより操作入力部７を介してスクロール命令が入力されると、表示画面１０Ａ上でグループ別表示画像２２を画面縦方向や画面横方向へスクロールさせる。
【０２５３】
これにより制御部２は、表示画面１０Ａにグループ別表示画像２２として複数の静止画像ＳＧを一度には表示しきれないような場合でも、表示画面１０Ａに表示する静止画像ＳＧを適宜変更して、これら複数の静止画像ＳＧを見せることができる。
【０２５４】
そして制御部２は、表示画面１０Ａに複数の静止画像ＳＧを何れの表示形態で表示した場合でも、当該表示画面１０Ａに、これら複数の静止画像ＳＧと共に、表示状態設定用に実行可能な処理の項目を示すメニューを表示する。
【０２５５】
これにより制御部２は、複数の静止画面ＳＧを目視させながら、表示画面１０Ａ上で表示状態設定用の各種処理を選択させ、当該選択された処理を実行して複数の静止画像を所望の表示状態に設定し得るようになされている。
【０２５６】
ここで図９を用いて、表示状態設定用に実行可能な処理の項目を示すメニューについて説明する。メニューとしては、全ての静止画像ＳＧを対象として実行可能な処理の項目を示すオプションメニューがある。
【０２５７】
また、かかるメニューとしては、グループ毎の静止画像ＳＧを対象として実行可能な処理の項目を示すグループメニューもある。さらに、かかるメニューとしては、個々の静止画像ＳＧを対象として実行可能な処理の項目を示す個別メニューもある。
【０２５８】
そしてオプションメニューには、表示画面１０Ａに複数の静止画像ＳＧを表示するための表示形態を、上述した一列表示、一覧表示、グループ別表示の中から任意に選択された１つに切り換えるための表示形態切換項目がある。
【０２５９】
またオプションメニューには、全ての静止画像ＳＧを回転対象として、当該全ての静止画像ＳＧを、その画像中心点を中心にして回転させて表示するように設定するための全画像回転設定項目もある。
【０２６０】
さらにオプションメニューには、表示画面１０Ａに表示した複数の静止画像ＳＧを例えば、ファイル名順、撮影日時順、グループ順の中から任意に選択された１つの順番でソート（並べ替え）するためのソート項目もある。
【０２６１】
因みに、オプションメニューのソート項目は、例えば、表示画面１０Ａに一列表示画像２０を表示（複数の静止画像ＳＧを一列表示）し、また一覧表示画像２１を表示（複数の静止画像ＳＧを一覧表示）したときにのみ選択し得るようになされている。
【０２６２】
すなわち、制御部２は、表示画面１０Ａに表示する複数の静止画像ＳＧをソートするソート処理を、当該表示画面１０Ａに一列表示画像２０を表示したときや、当該表示画面１０Ａに一覧表示画像２１を表示したときにのみ実行するようになされている。
【０２６３】
さらにオプションメニューには、記憶部３に記憶した画像ファイルＧＦの上述したような管理形態を、静止画像データＳＤのグループ毎に管理するように変更するための管理形態変更項目もある。
【０２６４】
因みに、オプションメニューの管理形態変更項目は、例えば、表示画面１０Ａにグループ別表示画像２２を表示（複数の静止画像ＳＧをグループ別表示）したときにのみ選択し得るようになされている。
【０２６５】
すなわち、制御部２は、複数の静止画像ＳＧの管理形態を変更する管理形態変更処理を、当該表示画面１０Ａにグループ別表示画像２２を表示したときにのみ実行するようになされている。
【０２６６】
グループメニューには、任意に選択されたグループにおいて、任意に選択された１つの静止画像ＳＧ以外を非表示に設定する、すなわち任意に選択された１つの静止画像ＳＧを単独表示するように設定するための単独表示設定項目がある。
【０２６７】
またグループメニューには、任意に選択されたグループに属する全ての静止画像ＳＧを、その画像中心点を中心にして回転させて表示するように設定するためのグループ単位回転設定項目もある。
【０２６８】
さらにグループメニューには、任意に選択されたグループにおいて、任意に選択された１つの静止画像ＳＧと、他の静止画像ＳＧとを比較用に同時に表示するための比較表示項目もある。
【０２６９】
さらにグループメニューには、任意に選択されたグループにおいて、任意に選択された１又は複数の静止画像ＳＧを一括削除するための一括削除項目もある。
【０２７０】
さらにグループメニューには、任意に選択されたグループにおいて、任意に選択された１又は複数の静止画像ＳＧを、任意に選択された他のグループに移動させる（すなわち、分類し直す）ためのグループ移動項目もある。
【０２７１】
さらにグループメニューには、任意に選択されたグループにおいて、任意に選択された１又は複数の静止画像ＳＧを、そのグループから外して、当該選択された１又は複数の静止画像ＳＧが属する新規のグループを作成するためのクループ作成項目もある。
【０２７２】
個別メニューには、任意に選択された１つの静止画像ＳＧを個別に非表示に設定するための非表示設定項目がある。
【０２７３】
また個別メニューには、任意に選択された１つの静止画像ＳＧを、その画像中心点を中心にして回転させて表示するように設定するための個別回転設定項目もある。
【０２７４】
さらに個別メニューには、任意に選択された１つの静止画像ＳＧを個別に表示画面１０Ａに表示するための個別表示項目もある。
【０２７５】
さらに個別メニューには、任意に選択された１つの静止画像ＳＧを個別に削除するための個別削除項目もある。
【０２７６】
実際に制御部２は、記憶部３に対する表示状態設定テーブルＤＴの記憶に応じて、例えばまず、一列表示画像データを生成して表示部１０に送出することにより、表示画面１０Ａに図６について上述した一列表示画像２０を表示する。
【０２７７】
この状態で制御部２は、ユーザにより操作入力部７を介してメニューの表示が要求されると、記憶部３から予め記憶していたメニューデータを読み出すと共に、複数の静止画像データＳＤに、そのメニューデータを合成してメニュー合成画像データを生成する。
【０２７８】
そして制御部２は、メニュー合成画像データを表示部１０に送出することにより、当該表示部１０の表示画面１０Ａにメニュー合成画像データに基づき、図１０に示すようなメニュー合成画像２５を表示する。
【０２７９】
この場合、メニュー合成画像２５は、一列表示画像２０の右端部にメニュー画像２６が重ねて表示されると共に、当該一列表示画像２０の下端部左寄りに、選択画像２７が重ねて表示されている。
【０２８０】
メニュー画像２６には、オプションメニューの表示形態切換項目、全画像回転設定項目、ソート項目に対応するアイコン２８乃至３０が設けられている。
【０２８１】
またメニュー画像２６には、グループメニューの単独表示設定項目、グループ単位回転設定項目、比較表示項目、一括削除項目、グループ移動項目、クループ作成項目に対応するアイコン３１乃至３６が設けられている。
【０２８２】
因みに、以下の説明では、オプションメニューの表示形態切換項目に対応するアイコン２８を、表示形態切換アイコン２８とも呼び、当該オプションメニューの全画像回転設定項目に対応するアイコン２９を、全画像回転アイコン２９とも呼ぶ。
【０２８３】
また、以下の説明では、オプションメニューのソート項目に対応するアイコン３０を、ソートアイコン３０とも呼び、グループメニューの単独表示設定項目に対応するアイコン３１を、単独表示アイコン３１とも呼ぶ。
【０２８４】
さらに、以下の説明では、グループメニューのグループ単位回転設定項目に対応するアイコン３２を、グループ単位回転アイコン３２とも呼び、当該グループメニューの比較表示項目に対応するアイコン３３を、比較表示アイコン３３とも呼ぶ。
【０２８５】
さらに、以下の説明では、グループメニューの一括削除項目に対応するアイコン３４を、一括削除アイコン３４とも呼び、当該グループメニューのグループ移動項目に対応するアイコン３５を、グループ移動アイコン３５とも呼ぶ。
【０２８６】
さらに、以下の説明では、グループメニューのクループ作成項目に対応するアイコン３６を、グループ作成アイコン３６とも呼ぶ。
【０２８７】
そしてメニュー画像２６において表示形態切換アイコン２８には、現在選択中の表示形態を示す文字列（この場合は、一列表示という文字列）が表示されている。
【０２８８】
またメニュー画像２６において全画像回転アイコン２９には、現在、回転対象として全ての静止画像ＳＧと一部の静止画像ＳＧとの何れが選択可能であるのかを示す文字列（この場合は、例えば全画像又は一部画像という文字列）が表示されている。
【０２８９】
さらにメニュー画像２６においてソートアイコン３０には、現在選択中のソートの順番を示す文字列（この場合は、例えば、ファイル名順という文字列）が表示されている。
【０２９０】
さらにメニュー画像２６において単独表示アイコン３１には、その単独表示アイコン３１により選択可能な処理が単独表示設定処理であることを示す文字列（この場合は、単独表示という文字列）が表示されている。
【０２９１】
さらにメニュー画像２６においてグループ単位回転アイコン３２には、そのグループ単位回転アイコン３２により選択可能な処理がグループ単位回転設定処理であることを示す文字列（この場合は、グループ単位回転という文字列）が表示されている。
【０２９２】
さらにメニュー画像２６において比較表示アイコン３３には、その比較表示アイコン３３により選択可能な処理が比較表示処理であることを示す文字列（この場合は、比較表示という文字列）が表示されている。
【０２９３】
さらにメニュー画像２６において一括削除アイコン３４には、その一括削除アイコン３４により選択可能な処理が一括削除処理であることを示す文字列（この場合は、一括削除という文字列）が表示されている。
【０２９４】
さらにメニュー画像２６においてグループ移動アイコン３５には、そのグループ移動アイコン３５により選択可能な処理がグループ移動処理であることを示す文字列（この場合は、グループ移動という文字列）が表示されている。
【０２９５】
さらにメニュー画像２６においてグループ作成アイコン３６には、そのグループ作成アイコン３６により選択可能な処理がグループ作成処理であることを示す文字列（この場合は、グループ作成という文字列）が表示されている。
【０２９６】
一方、選択画像２７には、グループメニューを選択するためのグループメニュー選択ボタン３７と、個別メニューを選択するための個別メニュー選択ボタン３８とが設けられている。
【０２９７】
制御部２は、表示画面１０Ａにメニュー合成画像２５を表示したとき、初期状態として、複数の静止画像ＳＧを例えば、ファイル名順に並べて一列に表示している。
【０２９８】
このため制御部２は、表示画面１０Ａにメニュー合成画像２５を表示したとき、ソートアイコン３０内に初期状態として、ファイル名順という文字列を表示している。
【０２９９】
この状態で制御部２は、ユーザにより操作入力部７を介してメニュー合成画像２５上でソートアイコン３０が選択されると、複数の静止画像ＳＧの並び順としてファイル名順、撮影日時順、グループ順を任意に選択可能なプルダウンメニュー（図示せず）を表示する。
【０３００】
そして制御部２は、ユーザにより操作入力部７を介してプルダウンメニュー上で撮影日時順やグループ順が選択されると、メニュー合成画像２５内で複数の静止画像ＳＧを、その選択された撮影日時順やグループ順でソートする。
【０３０１】
因みに、制御部２は、このように複数の静止画像ＳＧをソートすると、ソートアイコン３０内の表示を当該ソートに利用した順番を示すように変更する。
【０３０２】
また制御部２は、表示画面１０Ａにメニュー合成画像２５を表示したとき、初期状態として、回転対象として任意に選択された個々又はグループ単位のように一部の静止画像ＳＧを回転させて表示するように設定するための一部画像回転表示設定モードになる。
【０３０３】
そして制御部２は、表示画面１０Ａに表示したメニュー合成画像２５において全画像回転アイコン２９内に初期状態として、一部画像回転表示設定モードであることを示す例えば、一部画像という文字列を表示している。
【０３０４】
この状態で制御部２は、ユーザにより操作入力部７を介してメニュー合成画像２５上で全画像回転アイコン２９が選択されると、全ての静止画像ＳＧを回転させて表示するように設定するための全画像回転表示設定モードに移行する。
【０３０５】
そして制御部２は、このときメニュー合成画像２５において全画像回転アイコン２９内に、全画像回転表示設定モードに移行したことを示す例えば、全画像という文字列を表示する。
【０３０６】
この状態で制御部２は、ユーザにより操作入力部７を介して、静止画像ＳＧの回転表示の設定が命令されると、全ての静止画像ＳＧを回転対象として一括選択する。
【０３０７】
そして制御部２は、静止画像ＳＧを回転角度情報に従い回転させて表示することを示す回転設定情報を生成し、表示状態設定テーブルＤＴに対し、その回転設定情報を全てのファイル名にそれぞれ対応付けるようにして追加する。
【０３０８】
これにより制御部２は、これら全ての静止画像ＳＧを、それぞれ対応する回転角度情報に従い画像下方向が画面下端を向く表示向きとなるように回転させて表示するように設定する。
【０３０９】
なお、もともと基準表示向きで画像下方向が画面下方向を向くような静止画像ＳＧについては、補正回転角度が「０」度となっている。このため、かかる静止画像ＳＧについては、基準表示向きの表示状態がそのまま、回転角度情報に従い画像下方向が画面下端を向く表示向きとなるように回転させて表示するための設定に従った表示状態になる。
【０３１０】
因みに、制御部２は、このとき全ての静止画像データＳＤに、実際にそれぞれ対応する回転角度情報に従い回転処理を施す。これにより制御部２は、メニュー合成画像２５上で全ての静止画像ＳＧを画像下方向が画面下端を向く表示向きとなるように回転させて表示して、これら全ての静止画像ＳＧの表示状態を確認させることができる。
【０３１１】
ところで制御部２は、全画像回転表示設定モードにおいて、ユーザにより操作入力部７を介してメニュー合成画像２５上で全画像回転アイコン２９が選択されると、再び一部画像回転表示設定モードに移行する。
【０３１２】
また制御部２は、このときメニュー合成画像２５において全画像回転アイコン２９内に全画像という文字列に換えて再び一部画像という文字列を表示する。
【０３１３】
制御部２は、一部画像回転表示設定モード時、ユーザにより操作入力部７を介してメニュー合成画像２５上でグループ単位回転アイコン３２が選択されると、グループ単位で静止画像ＳＧの回転表示を設定するグループ単位回転表示設定モードに移行する。
【０３１４】
この状態で制御部２は、ユーザにより操作入力部７を介してメニュー合成画像２５上で任意に１つの静止画像ＳＧが選択されると、表示状態設定テーブルＤＴに基づき、その静止画像ＳＧが属するグループと、当該グループに属する他の静止画像ＳＧとを検索する。
【０３１５】
また制御部２は、メニュー合成画像２５において、その検索したグループに属する全ての静止画像ＳＧを所定の第１の色の枠で囲むようにする。
【０３１６】
これにより制御部２は、メニュー合成画像２５において、その検索したグループに属する全ての静止画像ＳＧを、第１の色の枠によって、他のグループに属する静止画像ＳＧとは容易に区別させて確認せることができる。
【０３１７】
因みに、ユーザによる１つの静止画像ＳＧの選択に応じて検索したグループは、ユーザにより静止画像ＳＧを利用して選択されたグループでもある。よって、以下の説明では、１つの静止画像ＳＧの選択に応じて検索したグループを、選択グループとも呼ぶ。
【０３１８】
さらに制御部２は、このとき選択グループに属する全ての静止画像ＳＧを自動的に回転対象とする。そして制御部２は、メニュー合成画像２５において選択グループに属する全ての静止画像ＳＧ内の例えば右上隅にチェックボックスを表示して、そのチェックボックス内に、これら全ての静止画像ＳＧが回転対象であることを示すチェックマークを表示する。
【０３１９】
この状態で制御部２は、ユーザにより操作入力部７を介してメニュー合成画像２５上で、選択グループから任意に１つの静止画像ＳＧが選択されると、当該選択された１つの静止画像ＳＧを第１の色とは異なる所定の第２の色の枠で囲むようにする。
【０３２０】
因みに、以下の説明では、任意に選択された１つのクループ（すなわち、選択グループ）内で、さらに任意に選択された１つの静止画像ＳＧを、特に選択画像とも呼ぶ。
【０３２１】
これにより制御部２は、メニュー合成画像２５において、選択グループ内で選択画像を他の静止画像ＳＧと容易に区別させて確認させることができる。
【０３２２】
ところで、制御部２は、メニュー合成画像２５上で選択画像が任意に選択されると、その選択画像に対する基準表示向きからの右方向への所望の回転角度（例えば、０度、９０度、１８０度、２７０度）を任意に指定させ得るようになされている。
【０３２３】
因みに、以下の説明では、ユーザにより選択画像に対して指定される基準表示向きからの右方向への回転角度を、指定回転角度とも呼ぶ。
【０３２４】
制御部２は、ユーザにより操作入力部７を介して選択画像に対する指定回転角度が任意に指定されると、対応する回転角度情報が示す右方向への補正回転角度から、その指定回転角度を減算して角度差を求める。
【０３２５】
また制御部２は、選択グループに属する他の静止画像ＳＧにそれぞれ対応する回転角度情報が示す右方向への補正回転角度から、その求めた角度差を減算する。
【０３２６】
これにより制御部２は、選択グループに属する他の静止画像ＳＧの画像下方向を、選択画像を指定回転角度まで回転させるときの当該選択画像の画像下方向の向きと一致させるような、当該他の静止画像ＳＧの基準表示向きからの右方向への回転角度を求める。
【０３２７】
因みに、以下の説明では、他の静止画像ＳＧについて求めた基準表示向きからの右方向への回転角度を、検出回転角度とも呼ぶ。
【０３２８】
この状態で制御部２は、ユーザにより操作入力部７を介して、静止画像ＳＧの回転表示の設定が命令されると、静止画像ＳＧを回転させて表示することを示す回転設定情報を生成する。
【０３２９】
そして制御部２は、表示状態設定テーブルＤＴに対し、その回転設定情報をファイル名に対応付けるようにして追加する。
【０３３０】
ただし制御部２は、静止画像ＳＧの指定回転角度や検出回転角度が、対応する回転角度情報が示す右方向への補正回転角度とは異なると、表示状態設定テーブルＤＴに対し、指定回転角度や検出回転角度を示す新たな回転角度情報をファイル名に対応付けて追加する。
【０３３１】
そして制御部２は、この場合、表示状態設定テーブルＤＴに対し、静止画像ＳＧの回転に利用する回転角度情報も示す回転設定情報をファイル名に対応付けるようにして追加する。
【０３３２】
これにより制御部２は、選択グループに属する選択画像を指定回転角度で回転させて表示するように設定する。また制御部２は、選択グループに属する他の静止画像ＳＧを、それぞれ対応する検出回転角度で回転させて表示するように設定する。
【０３３３】
このようにして制御部２は、選択グループに属する全ての静止画像ＳＧを、選択画像の指定回転角度を指定させるだけで、これら静止画像ＳＧの画像下方向が同一方向を向く表示向きとなるように回転させて表示するように設定する。
【０３３４】
ただし制御部２は、ユーザにより選択グループが選択されても、選択グループ内で選択画像が選択されずに回転表示の設定が命令されると、選択グループに属する全ての静止画像ＳＧを画像下方向が画面下端を向く表示向きとなるように回転させて表示するように設定する。
【０３３５】
すなわち、制御部２は、選択グループに属する全ての静止画像ＳＧを、画像下方向がそれぞれ画面下方向に向く表示向きとなるように回転させて表示するように設定するときだけは、ユーザに選択画像を選択させずに、回転表示の設定を命令させても、実現し得るようになされている。
【０３３６】
因みに、制御部２は、グループ単位で回転表示を設定すると、選択グループに属する全ての静止画像データＳＤに対して実際にそれぞれ対応する指定回転角度や検出回転角度、又は回転角度情報に従い回転処理を施す。
【０３３７】
これにより制御部２は、メニュー合成画像２５上で選択グループに属する全ての静止画像ＳＧを回転させて表示して、その選択グループに属する全ての静止画像ＳＧの表示状態を確認させることができる。
【０３３８】
ところで制御部２は、ユーザにより操作入力部７を介してメニュー合成画像２５上で単独表示アイコン３１が選択されると、グループに属する複数の静止画像ＳＧのうち１つの静止画像ＳＧのみを表示するように設定する単独表示設定モードに移行する。
【０３３９】
この状態で制御部２は、ユーザにより操作入力部７を介してメニュー合成画像２５上で任意に１つの静止画像ＳＧが選択されると、上述と同様に表示状態設定テーブルＤＴに基づき、その静止画像ＳＧが属する選択グループを検索する。また制御部２は、このとき選択グループに属する他の静止画像ＳＧも検索する。
【０３４０】
さらに制御部２は、メニュー合成画像２５において、その選択グループに属する全ての静止画像ＳＧを第１の色の枠で囲む。
【０３４１】
さらに制御部２は、選択グループに属する全ての静止画像ＳＧ内の右上隅にチェックボックスを表示して、この時点には、そのチェックボックス内に、これら全ての静止画像ＳＧを非表示対象としていることを示すようにチェックマークを表示する。
【０３４２】
この状態で制御部２は、ユーザにより操作入力部７を介してメニュー合成画像２５上で、選択グループから任意に単独表示対象としての選択画像が選択されると、その選択画像を第２の色の枠で囲む。
【０３４３】
また制御部２は、メニュー合成画像２５において、その選択画像のチェックボックスから、選択グループ内で当該選択画像が単独表示対象として選択されたことを示すようにチェックマークを消去する。
【０３４４】
これにより制御部２は、メニュー合成画像２５において、選択グループ内で唯一表示させる選択画像を他の静止画像ＳＧと容易に区別させて確認させることができる。
【０３４５】
そして制御部２は、ユーザにより操作入力部７を介して選択画像に対する単独表示の設定が命令されると、表示状態設定テーブルＤＴにおいて、対応する表示有無設定情報の内容を更新する。
【０３４６】
これにより制御部２は、選択グループにおいて選択画像を単独表示するように設定すると共に、他の静止画像ＳＧを非表示に設定する。
【０３４７】
因みに、制御部２は、所望のグループ内の複数の静止画像ＳＧに対する単独表示及び非表示を設定した後に、再び同一のグループが選択されたときには、静止画像ＳＧのチェックボックスに、その設定内容を再現するようにチェックマークを表示する。
【０３４８】
これにより制御部２は、所望のグループ内の複数の静止画像ＳＧに対する単独表示及び非表示を設定した後でも、その設定内容を確認させることができる。
【０３４９】
また制御部２は、設定内容が確認されたときには、ユーザの操作に応じて静止画像ＳＧに対するチェックマークに表示の有無を変更することで、その設定内容も変更することができる。
【０３５０】
また制御部２は、ユーザにより操作入力部７を介してメニュー合成画像２５上で比較表示アイコン３３が選択されると、グループに属する複数の静止画像ＳＧを比較用に同時に表示する比較表示モードに移行する。
【０３５１】
この状態で制御部２は、ユーザにより操作入力部７を介してメニュー合成画像２５上で任意に１つの静止画像ＳＧが選択されると、上述と同様に表示状態設定テーブルＤＴに基づき、その静止画像ＳＧが属する選択グループを検索する。また制御部２は、このとき選択グループに属する他の静止画像ＳＧも検索する。
【０３５２】
さらに制御部２は、メニュー合成画像２５において、その選択グループに属する全ての静止画像ＳＧを第１の色の枠で囲む。
【０３５３】
さらに制御部２は、選択グループに属する全ての静止画像ＳＧ内の右上隅にチェックボックスを表示して、この時点には、そのチェックボックス内に何れの静止画像ＳＧも比較元ではないことを示すように何ら表示しない。
【０３５４】
この状態で制御部２は、ユーザにより操作入力部７を介してメニュー合成画像２５上で、選択グループから任意に比較元としての選択画像が選択されると、その選択画像を第２の色の枠で囲む。
【０３５５】
また制御部２は、メニュー合成画像２５において、その選択画像のチェックボックス内に、選択グループ内で当該選択画像が比較元として選択されたことを示すようにチェックマークを表示する。
【０３５６】
そして制御部２は、ユーザにより操作入力部７を介して比較表示の開始が命令されると、例えば、メニュー合成画像２５上で画面左側に、選択グループ内で比較元として選択された選択画像を拡大表示する。
【０３５７】
また制御部２は、その選択画像を拡大表示しながら、メニュー合成画像上の画面右側に選択グループ内の他の静止画像ＳＧを順番に拡大表示する。
【０３５８】
このようにして制御部２は、メニュー合成画像２５上で、選択グループ内の１つの静止画像ＳＧを、他の静止画像ＳＧと比較させることができる。
【０３５９】
さらに制御部２は、ユーザにより操作入力部７を介してメニュー合成画像２５上で一括削除アイコン３４が選択されると、グループに属する複数の静止画像ＳＧのうち任意に選択された静止画像ＳＧを削除する一括削除モードに移行する。
【０３６０】
この状態で制御部２は、ユーザにより操作入力部７を介してメニュー合成画像２５上で任意に１つの静止画像ＳＧが選択されると、上述と同様に表示状態設定テーブルＤＴに基づき、その静止画像ＳＧが属する選択グループを検索する。また制御部２は、このとき選択グループに属する他の静止画像ＳＧも検索する。
【０３６１】
さらに制御部２は、メニュー合成画像２５において、その選択グループに属する全ての静止画像ＳＧを第１の色の枠で囲む。
【０３６２】
さらに制御部２は、選択グループに属する全ての静止画像ＳＧ内の右上隅にチェックボックスを表示して、この時点には、そのチェックボックス内に、これら全ての静止画像ＳＧが削除対象として選択されてはいないことを示すように何ら表示させないようにする。
【０３６３】
この状態で制御部２は、ユーザにより操作入力部７を介してメニュー合成画像２５上で、選択グループから任意に削除対象としての選択画像が選択されると、その選択画像を第２の色の枠で囲む。
【０３６４】
また制御部２は、メニュー合成画像２５において、その選択画像のチェックボックス内に、選択グループ内で当該選択画像が削除対象として選択されたことを示すようにチェックマークを表示する。
【０３６５】
因みに、制御部２は、一括削除モード時、選択グループが選択されると、選択画像を同様の手順で１以上選択させることができる。
【０３６６】
そして制御部２は、選択グループ内で１又は複数の選択画像が削除対象として選択された状態で、ユーザにより操作入力部７を介して選択画像の削除が命令されると、メニュー合成画像２５上で、その選択画像を削除する。
【０３６７】
また制御部２は、表示状態設定テーブルＤＴから削除対象の静止画像ＳＧに対応する全ての情報を削除する。さらに制御部２は、記憶部３から削除対象の静止画像ＳＧに対応する画像ファイルＧＦも削除する。
【０３６８】
これにより制御部２は、選択グループにおいて削除対象の１又は複数の選択画像を一括して削除することができる。
【０３６９】
さらに制御部２は、ユーザにより操作入力部７を介してメニュー合成画像２５上でグループ移動アイコン３５が選択されると、グループ内で任意に選択された静止画像ＳＧを別のグループに移動させるグループ移動モードに移行する。
【０３７０】
この状態で制御部２は、ユーザにより操作入力部７を介してメニュー合成画像２５上で任意に１つの静止画像ＳＧが選択されると、上述と同様に表示状態設定テーブルＤＴに基づき、その静止画像ＳＧが属する選択グループを検索する。また制御部２は、このとき選択グループに属する他の静止画像ＳＧも検索する。
【０３７１】
さらに制御部２は、メニュー合成画像２５において、その選択グループに属する全ての静止画像ＳＧを第１の色の枠で囲む。
【０３７２】
さらに制御部２は、選択グループに属する全ての静止画像ＳＧ内の右上隅にチェックボックスを表示する。そして制御部２は、この時点には、そのチェックボックス内に、これら全ての静止画像ＳＧが他のグループへの移動対象として選択されてはいないことを示すように何ら表示させないようにする。
【０３７３】
この状態で制御部２は、ユーザにより操作入力部７を介してメニュー合成画像２５上で、選択グループから任意に他のグループへの移動対象としての選択画像が選択されると、その選択画像を第２の色の枠で囲む。
【０３７４】
また制御部２は、メニュー合成画像２５において、その選択画像のチェックボックス内に、選択グループ内で当該選択画像が他のグループへの移動対象として選択されたことを示すようにチェックマークを表示する。
【０３７５】
因みに、制御部２は、グループ移動モード時、選択グループが選択されると、選択画像を同様の手順で１以上選択させることができる。
【０３７６】
そして制御部２は、ユーザにより操作入力部７を介してメニュー合成画像２５上で他のグループの静止画像ＳＧが選択されると、上述と同様に表示状態設定テーブルＤＴに基づき、その静止画像ＳＧが属するグループを、移動対象の選択画像の移動先として検索する。また制御部２は、その検索したグループに属する他の静止画像ＳＧも検索する。
【０３７７】
因みに、以下の説明では、移動対象の選択画像の移動先として検索されたグループを、移動先グループとも呼ぶ。
【０３７８】
さらに制御部２は、メニュー合成画像２５において、その移動先グループに属する全ての静止画像ＳＧを第１及び第２の色とは異なる所定の第３の色の枠で囲む。
【０３７９】
これにより制御部２は、移動対象の選択画像と、その移動先としての移動先グループに属する複数の静止画像ＳＧとを確認させることができる。
【０３８０】
この状態で制御部２は、ユーザにより操作入力部７を介して選択画像の移動が命令されると、表示状態設定テーブルＤＴにおいて移動対象の選択画像に対応するグループ名を、移動先グループのグループ名に変更する。
【０３８１】
これにより制御部２は、選択グループにおいて移動対象の選択画像を移動先グループに移動させることができる。
【０３８２】
因みに、制御部２は、このときメニュー合成画像２５において複数の静止画像ＳＧをグループ順でソートしていると、移動対象の選択画像を移動先グループに加えるように表示位置を変更する。
【０３８３】
さらに制御部２は、ユーザにより操作入力部７を介してメニュー合成画像２５上でグループ作成アイコン３６が選択されると、グループ内で任意に選択された静止画像ＳＧを新規作成のグループに分類するグループ作成モードに移行する。
【０３８４】
この状態で制御部２は、ユーザにより操作入力部７を介してメニュー合成画像２５上で任意に１つの静止画像ＳＧが選択されると、上述と同様に表示状態設定テーブルＤＴに基づき、その静止画像ＳＧが属する選択グループを検索する。また制御部２は、このとき選択グループに属する他の静止画像ＳＧも検索する。
【０３８５】
さらに制御部２は、メニュー合成画像２５において、その選択グループに属する全ての静止画像ＳＧを第１の色の枠で囲む。
【０３８６】
さらに制御部２は、選択グループに属する全ての静止画像ＳＧ内の右上隅にチェックボックスを表示して、この時点には、そのチェックボックス内に、これら全ての静止画像ＳＧが選択グループに属していることを示すように何ら表示させないようにする。
【０３８７】
この状態で制御部２は、ユーザにより操作入力部７を介してメニュー合成画像２５上で、選択グループから任意に新規グループへの分類対象としての選択画像が選択されると、その選択画像を第２の色の枠で囲む。
【０３８８】
また制御部２は、メニュー合成画像２５において、その選択画像のチェックボックス内に、選択グループ内で当該選択画像が新規作成のグループへの分類対象として選択されたことを示すようにチェックマークを表示する。
【０３８９】
因みに、制御部２は、グループ作成モード時、選択グループが選択されると、選択画像を同様の手順で１以上選択させることができる。
【０３９０】
そして制御部２は、ユーザにより操作入力部７を介してグループの新規作成が命令されると、新たなグループのグループ名を任意に決定する。
【０３９１】
また制御部２は、表示状態設定テーブルＤＴにおいて分類対象の選択画像に対応するグループ名を、新たなグループのグループ名に変更する。
【０３９２】
これにより制御部２は、選択グループにおいて分類対象の選択画像を新規作成のグループに分類することができる。
【０３９３】
因みに、制御部２は、このときメニュー合成画像２５において複数の静止画像ＳＧをグループ順でソートしていると、分類対象の選択画像を選択グループから抜いて、新規作成のグループに対応する表示位置い移動させる。
【０３９４】
ところで、制御部２は、ユーザにより操作入力部７を介してメニュー合成画像２５上で個別メニュー選択ボタン３８が選択されると、図１０との対応部分に同一符号を付した図１１に示すようにメニュー画像２６の表示内容を一部変更する。
【０３９５】
すなわち、制御部２は、メニュー合成画像２５のメニュー画像２６においてグループメニュー用の各種アイコンに換えて個別メニュー用の各種アイコンを表示する。
【０３９６】
この場合、メニュー画像２６には、個別メニューの非表示設定項目、個別回転設定項目、個別表示項目、個別削除項目に対応するアイコン４０乃至４３が設けられている。
【０３９７】
因みに、以下の説明では、個別メニューの非表示設定項目に対応するアイコン４０を、非表示設定アイコン４０とも呼び、当該個別メニューの個別回転設定項目に対応するアイコン４１を、個別回転設定アイコン４１とも呼ぶ。
【０３９８】
また、以下の説明では、個別メニューの個別表示項目に対応するアイコン４２を、個別表示アイコン４２とも呼び、当該個別メニューの個別削除項目に対応するアイコン４３を、個別削除アイコン４３とも呼ぶ。
【０３９９】
そして、非表示設定アイコン４０、個別回転設定アイコン４１、個別表示アイコン４２、個別削除アイコン４３には、それぞれ当該アイコン４０乃至４３によって選択可能な処理を示す文字列が表示されている。
【０４００】
制御部２は、ユーザにより操作入力部７を介してメニュー合成画像２５上で非表示設定アイコン４０が選択されると、静止画像ＳＧを個別に非表示に設定する非表示設定モードに移行する。
【０４０１】
この状態で制御部２は、ユーザにより操作入力部７を介してメニュー合成画像２５上で任意に１つの静止画像ＳＧが非表示対象として選択されると、当該選択された静止画像ＳＧを第２の色の枠で囲む。
【０４０２】
また制御部２は、その選択された静止画像ＳＧ内の右上隅にチェックボックスを表示して、そのチェックボックス内に当該静止画像ＳＧが非表示対象として選択されたことを示すようにチェックマークを表示する。
【０４０３】
この状態で制御部２は、ユーザにより操作入力部７を介して静止画像ＳＧに対する非表示の設定が命令されると、表示状態設定テーブルＤＴにおいて、対応する表示有無設定情報の内容を更新する。これにより制御部２は、任意に選択された静止画像ＳＧを個別に非表示に設定する。
【０４０４】
因みに、制御部２は、所望の静止画像ＳＧを非表示に設定した後に、再び同一の静止画像ＳＧが選択されたときには、その静止画像ＳＧのチェックボックスに、非表示の設定内容を再現するようにチェックマークを表示する。
【０４０５】
そして制御部２は、静止画像ＳＧを非表示に設定した後でも、当該静止画像ＳＧが再び選択された状態でチェックボックスが操作されると、チェックマークを消去して非表示の設定を解除することができる。
【０４０６】
よって制御部２は、表示しないように要望された静止画像ＳＧを削除しなくても表示しなようにすることができると共に、後に表示するように要望されても、その要望に容易に対処して表示することができる。
【０４０７】
また制御部２は、一部画像回転表示設定モードにおいてユーザにより操作入力部７を介してメニュー合成画像２５上で個別回転設定アイコン４１が選択されると、静止画像ＳＧを個別に回転させて表示するように設定する個別回転表示設定モードに移行する。
【０４０８】
この状態で制御部２は、ユーザにより操作入力部７を介してメニュー合成画像２５上で任意に１つの静止画像ＳＧが回転対象として選択されると、当該選択された静止画像ＳＧを第２の色の枠で囲む。
【０４０９】
また制御部２は、その選択された静止画像ＳＧ内の右上隅にチェックボックスを表示して、そのチェックボックス内に当該静止画像ＳＧが回転対象として選択されたことを示すようにチェックマークを表示する。
【０４１０】
この状態で制御部２は、ユーザにより操作入力部７を介して静止画像ＳＧに対する指定回転角度が任意に指定され、その状態で当該静止画像ＳＧの回転表示の設定が命令されると、表示状態設定テーブルＤＴに対し回転設定情報をファイル名に対応付けて追加する。
【０４１１】
ただし制御部２は、静止画像ＳＧの指定回転角度が、対応する回転角度情報が示す右方向への補正回転角度とは異なると、表示状態設定テーブルＤＴに対し、指定回転角度を示す新たな回転角度情報をファイル名に対応付けて追加する。
【０４１２】
そして制御部２は、この場合、表示状態設定テーブルＤＴに対し、静止画像ＳＧの回転に利用する回転角度情報も示す回転設定情報をファイル名に対応付けて追加する。これにより制御部２は、任意に選択された１つの静止画像ＳＧを指定回転角度で回転させて表示するように設定する。
【０４１３】
ただし制御部２は、ユーザにより１つの静止画像ＳＧが任意に選択されても、指定回転角度が指定されずに、回転表示の設定が命令されると、当該静止画像ＳＧを画像下方向が画面下端を向く表示向きとなるように回転させて表示するように設定する。
【０４１４】
すなわち、制御部２は、任意に選択された１つの静止画像ＳＧを、画像下方向が画面下方向に向く表示向きとなるように回転させて表示するように設定するときだけは、ユーザに指定回転角度を指定させずに、回転表示の設定を命令させても、実現し得るようになされている。
【０４１５】
因みに、制御部２は、１つの静止画像ＳＧの回転表示を個別に設定すると、当該静止画像ＳＧの静止画像データＳＤに対して実際に対応する指定回転角度、又は回転角度情報に従い回転処理を施す。
【０４１６】
これにより制御部２は、メニュー合成画像２５上で任意に選択された１つの静止画像ＳＧを回転させて表示して、その静止画像ＳＧの表示状態を確認させることができる。
【０４１７】
さらに制御部２は、ユーザにより操作入力部７を介してメニュー合成画像２５上で個別表示アイコン４２が選択されると、静止画像ＳＧを個別に表示する個別表示モードに移行する。
【０４１８】
この状態で制御部２は、ユーザにより操作入力部７を介してメニュー合成画像２５上で任意に１つの静止画像ＳＧが個別表示対象として選択されると、当該選択された静止画像ＳＧを第２の色の枠で囲む。
【０４１９】
また制御部２は、その選択された静止画像ＳＧ内の右上隅にチェックボックスを表示して、そのチェックボックス内に当該静止画像ＳＧが個別表示対象として選択されたことを示すようにチェックマークを表示する。
【０４２０】
そして制御部２は、ユーザにより操作入力部７を介して表示の開始が命令されると、例えば、メニュー合成画像２５上に、その個別表示対象として任意に選択された１つの静止画像ＳＧを拡大表示する。
【０４２１】
このようにして制御部２は、メニュー合成画像２５上で、任意に選択された１つの静止画像ＳＧの内容を細かく確認させることができる。
【０４２２】
さらに制御部２は、ユーザにより操作入力部７を介してメニュー合成画像２５上で個別削除アイコン４３が選択されると、静止画像ＳＧを個別に削除する個別削除モードに移行する。
【０４２３】
この状態で制御部２は、ユーザにより操作入力部７を介してメニュー合成画像２５上で任意に１つの静止画像ＳＧが削除対象として選択されると、当該選択された静止画像ＳＧを第２の色の枠で囲む。
【０４２４】
また制御部２は、その選択された静止画像ＳＧ内の右上隅にチェックボックスを表示して、そのチェックボックス内に当該静止画像ＳＧが削除対象として選択されたことを示すようにチェックマークを表示する。
【０４２５】
この状態で制御部２は、ユーザにより操作入力部７を介して静止画像ＳＧの削除が命令されると、メニュー合成画像２５上で、その静止画像ＳＧを削除する。
【０４２６】
また制御部２は、表示状態設定テーブルＤＴから削除対象の静止画像ＳＧに対応する全ての情報を削除する。
【０４２７】
さらに制御部２は、記憶部３から削除対象の静止画像ＳＧに対応する画像ファイルＧＦも削除する。これにより制御部２は、任意に選択された１つの静止画像ＳＧを個別に削除することができる。
【０４２８】
因みに制御部２は、ユーザにより操作入力部７を介してメニュー合成画像２５上でグループメニュー選択ボタン３７が選択されると、メニュー画像２６において個別メニュー用の各種アイコンに換えてグループメニュー用の各種アイコンを表示する。
【０４２９】
ところで、制御部２は、ユーザにより操作入力部７を介してメニュー合成画像２５上で表示形態切換アイコン２８が選択されると、表示形態として一列表示、一覧表示、グループ別表示を任意に選択可能なプルダウンメニュー（図示せず）を表示する。
【０４３０】
そして制御部２は、ユーザにより操作入力部７を介してプルダウンメニュー上で例えば、一覧表示が選択されると、表示画面１０Ａに図１０との対応部分に同一符号を付した図１２に示すメニュー合成画像４５を表示する。
【０４３１】
この場合、メニュー合成画像４５は、一覧表示画像２１の右端部にメニュー画像２６が重ねて表示されると共に、当該一覧表示画像２１の下端部左寄りに、選択画像２７が重ねて表示されている。
【０４３２】
そして制御部２は、表示画面１０Ａに対し、かかるメニュー合成画像４５を表示した場合、ユーザに対し上述と同様に操作させ、その操作に応じて上述した処理と同じ処理を実行する。
【０４３３】
また制御部２は、ユーザにより操作入力部７を介してメニュー合成画像２５及び４５上で表示形態切換アイコン２８が選択されても、表示形態として一列表示、一覧表示、グループ別表示を任意に選択可能なプルダウンメニュー（図示せず）を表示する。
【０４３４】
そして制御部２は、ユーザにより操作入力部７を介してプルダウンメニュー上で例えば、グループ別表示が選択されると、表示画面１０Ａに図１０との対応部分に同一符号を付した図１３に示すメニュー合成画像４６を表示する。
【０４３５】
この場合、メニュー合成画像４６は、グループ別表示画像２２の右端部にメニュー画像４７が重ねて表示されると共に、当該グループ別表示画像２２の下端部左寄りに、選択画像２７が重ねて表示されている。
【０４３６】
またメニュー画像４７には、上述したソートアイコン３０に換えて、オプションメニューの管理形態変更項目に対応するアイコン（以下、これを管理形態変更アイコンとも呼ぶ）４８が設けられている。
【０４３７】
制御部２は、表示画面１０Ａに対し、かかるメニュー合成画像４６を表示した場合、ソート処理以外では、ユーザに対し上述と同様に操作させ、その操作に応じて上述した処理と同じ処理を実行する。
【０４３８】
ただし制御部２は、ユーザにより操作入力部７を介してメニュー合成画像４６上で管理形態変更アイコン４８が選択されると、画像ファイルＧＦの管理形態を変更する管理形態変更モードに移行する。
【０４３９】
制御部２は、このとき複数の画像ファイルＧＦを、グループ毎にそれぞれ異なるフォルダに関連付けることにより、これらフォルダによって当該画像ファイルＧＦをグループ毎に管理し得るようにする。
【０４４０】
このようにして制御部２は、複数の画像ファイルＧＦを、絵柄の似ている静止画像をまとめるようにしたグループ単位で管理することができる。
【０４４１】
因みに、制御部２は、表示画面１０Ａにメニュー合成画像２５を表示した状態で、ユーザにより操作入力部７を介してメニューの消去が指示されると、これに応じて表示画面１０Ａに元の一列表示画像２０を表示する。
【０４４２】
ただし制御部２は、メニュー合成画像２５上でグループや静止画像ＳＧが選択された状態でメニューの消去が指示されると、表示画面１０Ａに対し図１４に示すように、グループや静止画像ＳＧの選択状況を明示したままの一列表示画像２０Ａを表示する。
【０４４３】
また制御部２は、表示画面１０Ａに対する表示を、同様にメニュー合成画像４５、４６から元の一覧表示画像２１、グループ別表示画像２２へと変更することもできる。
【０４４４】
そして制御部２は、このときにも、表示画面１０Ａに対し、適宜図１５及び図１６に示すような一覧表示画像２１Ａ、グループ別表示画像２２Ａを表示する。
【０４４５】
このようにして制御部２は、複数の静止画像ＳＧに対するユーザ所望の回転や表示、非表示、削除等の表示状態を、表示状態設定テーブルＤＴの内容に反映させるようにして設定する。
【０４４６】
制御部２は、このような複数の静止画像ＳＧに対する表示状態の設定処理が終了した後、ユーザにより操作入力部７を介して静止画像ＳＧの一覧表示が要求されると、記憶部３から全ての画像ファイルＧＦ内の静止画像データＳＤを読み出す。また制御部２は、このとき記憶部３から表示状態設定テーブルＤＴも読み出す。
【０４４７】
そして制御部２は、表示状態設定テーブルＤＴに基づき、複数の静止画像データＳＤを用いて一覧表示画像データを生成し、当該生成した一覧表示画像データを表示部１０に送出する。
【０４４８】
これにより制御部２は、表示画面１０Ａに一覧表示画像データに基づき、複数の静止画像データＳＤに基づく複数の静止画像ＳＧを複数行及び複数列のマトリクス状に配置して表示する。
【０４４９】
実際に、制御部２は、仮に複数の静止画像ＳＧに対して全く表示状態を設定してはいないと、表示画面１０Ａに対し図１７に示すように一覧表示画像５０として複数の静止画像ＳＧを、それぞれ画像下方向の向きにかかわらずに基準表示向きで表示する。
【０４５０】
これに対して制御部２は、表示状態として、全て又はグループ単位で静止画像ＳＧを回転表示するように設定した場合、表示画面１０Ａに対し図１８に示すような一覧表示画像５１を表示する。
【０４５１】
この場合、制御部２は、表示画面１０Ａに一覧表示画像５１として全て又はグループ単位の静止画像ＳＧ１０、ＳＧ１１を、画像下方向が画面上端１０ＡＴから画面下端１０ＡＵへ向かう方向に一致する表示向きとなるように回転させて表示する。
【０４５２】
また制御部２は、表示状態として、静止画像ＳＧをグループ単位や個別に回転表示するように設定すると、表示画面１０Ａに対し図１９に示すような一覧表示画像５２を表示する。
【０４５３】
すなわち、制御部２は、表示画面１０Ａに一覧表示画像５２として、例えば、グループ内の１つの静止画像ＳＧ１２を、画像下方向が画面左端１０ＡＬから画面右端１０ＡＲへ向かう方向に一致する表示向きとなるように回転させて表示する。
【０４５４】
また静止画像２は、かかる一覧表示画像５２において、例えば、そのグループ内の他の静止画像ＳＧ１３乃至ＳＧ１５については、画像下方向が画面上端１０ＡＴから画面下端１０ＡＵへ向かう方向に一致する表示向きで表示する。
【０４５５】
さらに制御部２は、表示状態として、グループ内の１つの静止画像ＳＧを指定回転角度で回転表示するように設定し、他の複数の静止画像ＳＧを検出回転角度で回転表示するように設定すると、表示画面１０Ａに対し図２０に示すような一覧表示画像５３を表示する。
【０４５６】
この場合、制御部２は、表示画面１０Ａに一覧表示画像５３として、例えば、グループ内の複数の静止画像ＳＧ１２乃至ＳＧ１５を、画像下方向が所望の画面左端１０ＡＬから画面右端１０ＡＲへ向かう方向に一致する表示向きとなるように回転させて表示する。
【０４５７】
さらにまた制御部２は、表示状態として、グループ内の１つの静止画像ＳＧを単独表示するように設定し、他の複数の静止画像ＳＧを非表示に設定すると、表示画面１０Ａに対し図２１に示すような一覧表示画像５４を表示する。
【０４５８】
この場合、制御部２は、表示画面１０Ａに一覧表示画像５４として、例えば、グループ内の複数の静止画像ＳＧ１２乃至ＳＧ１５うち１つのみを表示する。
【０４５９】
なお、この実施の形態の場合、制御部２は、画像認識処理用に新たな認識基準画像データが生成されると、当該新たな認識基準画像データを記憶部３に記憶して、その後の画像認識処理に使用することができる。
【０４６０】
また制御部２は、画像認識処理用や類似画像検索処理用に新たな処理手法が開発されると、当該新たな処理手法で画像認識処理や類似画像検索処理を実行するためのプログラムをインストールして、その後の画像認識処理や類似画像検索処理に利用することができる。
【０４６１】
そして制御部２は、ユーザにより操作入力部７を介して静止画像ＳＧに対する表示状態の設定が初めて要求されたときには、その時点に記憶部３に画像ファイルＧＦとして記憶している全ての静止画像データＳＤについて画像認識処理（又は、類似画像検索処理）を実行する。
【０４６２】
また制御部２は、ユーザにより操作入力部７を介して表示状態の設定が再び（すなわち、２回目、３回目、……、のように２回目以降）要求されたときには、ユーザ設定に応じて画像認識処理（又は、類似画像検索処理）を実行する。
【０４６３】
すなわち、制御部２は、ユーザにより操作入力部７を介して表示状態の設定が再び要求されたときには、その時点に記憶部３に画像ファイルＧＦとして記憶している全ての静止画像データＳＤについて画像認識処理（又は、類似画像検索処理）を改めて実行することができる。
【０４６４】
この場合、制御部２は、画像認識処理や類似画像検索処理に新たな認識基準画像データや新たな処理手法を反映させて複数の静止画像ＳＧを認識してグループに分類することができる。
【０４６５】
また制御部２は、ユーザにより操作入力部７を介して表示状態の設定が再び要求されたときには、前回の設定以後に新たに記憶した静止画像データＳＤについてのみ画像認識処理（又は、類似画像検索処理）を実行することもできる。この場合、制御部２は、画像認識処理や類似画像検索処理の処理負荷を大幅に低減することができる。
【０４６６】
（１−２）表示状態設定処理
次いで、図２２に示すフローチャートを用いて、画像表示装置１の制御部２が実行する表示状態設定処理手順ＲＴ１について説明する。
【０４６７】
制御部２は、ユーザにより操作入力部７を介して静止画像ＳＧに対する表示状態の設定が要求されると、記憶部３に予め記録している表示状態設定プログラムに従って図２２に示す表示状態設定処理手順ＲＴ１を開始する。
【０４６８】
制御部２は、かかる表示状態設定処理手順ＲＴ１を開始すると、ステップＳＰ１において記憶部３から複数の画像ファイルＧＦを読み出してＲＡＭ６に一時記録して、次のステップＳＰ２に移る。
【０４６９】
ステップＳＰ２において制御部２は、画像ファイルＧＦに含まれるヘッダデータＨＤの内容をチェックして、適宜、回転情報を生成し、その回転情報を画像ファイルＧＦに対応付けてＲＡＭ６に一時記録した後、次のステップＳＰ３に移る。
【０４７０】
ステップＳＰ３において制御部２は、ＲＡＭ６から複数の画像ファイルＧＦに含まれる複数の静止画像データＳＤを読み出して、次のステップＳＰ４に移る。
【０４７１】
ステップＳＰ４において制御部２は、複数の静止画像データＳＤに対し順次補正処理を施して、次のステップＳＰ５に移る。
【０４７２】
ステップＳＰ５において制御部２は、複数の静止画像データを順次用いて画像認識処理を実行して、複数の静止画像ＳＧがそれぞれどのようなオブジェクトの描かれた画像であるか認識し、全ての画像認識処理が終了すると、次のステップＳＰ６に移る。
【０４７３】
ステップＳＰ６において制御部２は、画像認識処理では認識し得なかった静止画像ＳＧの静止画像データＳＤが存在するか否かを判別する。
【０４７４】
その結果、制御部２は、画像認識処理では認識し得なかった静止画像ＳＧの静止画像データＳＤが存在すると、次のステップＳＰ７に移る。
【０４７５】
また制御部２は、画像認識処理で認識し得なかった静止画像ＳＧの静止画像データＳＤが存在しないと、次のステップＳＰ７の処理は実行せずに、さらに次のステップＳＰ８に移る。
【０４７６】
ステップＳＰ７において制御部２は、画像認識処理では認識し得なかった静止画像ＳＧの静止画像データＳＤと、すでに認識の済んでいる静止画像ＳＧの静止画像データＳＤとを用いて類似画像検索処理を実行する。
【０４７７】
これにより制御部２は、画像認識処理で認識し得なかった静止画像ＳＧと類似する認識済みの静止画像ＳＧを検索する。そして制御部２は、その検索した認識済みの静止画像ＳＧの当該認識結果を、画像認識処理で認識し得なかった静止画像ＳＧの認識結果とするようにし、全ての類似画像検索処理が終了すると、次のステップＳＰ８に移る。
【０４７８】
ステップＳＰ８において制御部２は、複数の静止画像データＳＤを静止画像ＳＧの認識結果をもとに複数のグループに分類して、次のステップＳＰ９に移る。
【０４７９】
ステップＳＰ９において制御部２は、複数の静止画像データＳＤの分類結果や、画像認識処理及び類似画像検索処理において静止画像ＳＧを画像下方向が画面下端に向くように回転させるために検出した補正回転角度等を用いて表示状態設定テーブルＤＴを生成する。そして制御部２は、その表示状態設定テーブルＤＴを記憶部３に記憶して、次のステップＳＰ１０に移る。
【０４８０】
ステップＳＰ１０において制御部２は、表示部１０の表示画面１０Ａに複数の静止画像データＳＤに基づく複数の静止画像ＳＧを表示する。この状態で制御部２は、ユーザ操作に応じて１又は複数の静止画像ＳＧの回転表示、単独表示、非表示、削除等のような表示状態を設定した後、次のステップＳＰ１１に移り、表示状態設定処理手順ＲＴ１を終了する。
【０４８１】
（１−３）実施の形態の動作及び効果
以上の構成において、画像表示装置１は、外部から複数の静止画像データＳＤを取り込んで記憶部３に記憶する。
【０４８２】
そして画像表示装置１は、複数の静止画像データＳＤに基づく複数の静止画像ＳＧの表示状態を設定するように要求されると、これら複数の静止画像ＳＧがどのような画像であるのかを順次認識する。
【０４８３】
また画像表示装置１は、このとき複数の静止画像ＳＧを、一律に規定された画像の上下左右に従った基準表示向きから、画像下方向を画面下端に向けるように表示向きを補正可能な補正回転角度を検出する。
【０４８４】
さらに画像表示装置１は、複数の静止画像データＳＤを、静止画像ＳＧの認識結果に基づいて複数のグループに分類する。
【０４８５】
そして画像表示装置１は、表示部１０の表示画面１０Ａに対し、複数の静止画像データＳＤに基づく複数の静止画像ＳＧそれぞれを基準表示向きで表示する。
【０４８６】
この状態で画像表示装置１は、任意のグループの複数の静止画像ＳＧの中から選択された１つの静止画像ＳＧに対し、基準表示向きからの指定回転角度が指定されると、当該選択された静止画像ＳＧを指定回転角度まで回転させて表示するように設定する。
【０４８７】
また画像表示装置１は、指定回転角度と、グループの複数の静止画像ＳＧの補正回転角度とに基づいて、当該グループの選択された静止画像ＳＧ以外の他の静止画像ＳＧを、当該選択された静止画像ＳＧを指定回転角度まで回転させるときと互いの画像下方向が同じ方向を向く表示向きとなるように回転させて表示するように設定する。
【０４８８】
従って画像表示装置１は、グループ内の複数の静止画像ＳＧを１つずつ選択させて回転させるように操作させることなく、１つの静止画像ＳＧを選択させて指定回転角度を指定させるだけで、これら複数の静止画像ＳＧを表示向きを揃えるように回転させて表示するように設定することができる。
【０４８９】
以上の構成によれば、画像表示装置１は、複数の静止画像ＳＧを認識したときに当該複数の静止画像ＳＧを、基準表示向きから画像下方向が画面下端に向く表示向きに補正可能な補正回転角度を検出すると共に、複数の静止画像ＳＧを認識結果に基づいて複数のグループに分類し、表示画面１０Ａにグループ毎の複数の静止画像ＳＧをそれぞれ基準表示向きで表示した状態で、任意のグループの１つの静止画像ＳＧに対し指定回転角度が指定されると、当該選択された静止画像ＳＧを指定回転角度まで回転させて表示するように設定すると共に、指定回転角度と、グループの複数の静止画像ＳＧの補正回転角度とに基づいて、グループの他の静止画像ＳＧを、当該選択された静止画像ＳＧを指定回転角度まで回転させるときと互いの画像下方向が同じ方向を向く表示向きとなるように回転させて表示するように設定するようにした。これにより画像表示装置１は、グループ内の複数の静止画像ＳＧのうち１つの静止画像ＳＧを選択させて指定回転角度を指定させるだけで、これら複数の静止画像ＳＧを表示向きを揃えるように回転させて表示するように設定することができる。よって画像表示装置１は、操作性を格段的に向上させることができる。
【０４９０】
また画像表示装置１は、複数の静止画像ＳＧを、これらに描かれたオブジェクトの認識結果をもとに、同じオブジェクトの描かれた静止画像ＳＧ同士をまとめるようにグループに分類し、表示画面１０Ａに複数の静止画像ＳＧをグループ毎にまとめて表示した。
【０４９１】
従って、画像表示装置１は、１つの静止画像ＳＧに対する指定回転角度を指定することで、当該１つの静止画像ＳＧと共に他の複数の静止画像ＳＧも回転させて表示するように設定するものの、１つの静止画像ＳＧと共にどのような静止画像ＳＧの表示状態を設定するのかを容易に確認させることができる。
【０４９２】
さらに画像表示装置１は、任意のグループの複数の静止画像ＳＧを、それぞれ画像下方向が画面下端に向く表示向きにする場合、１つの静止画像ＳＧを選択させたり、指定回転角度を指定させなくても、これらグループの複数の静止画像ＳＧを回転させて表示するように設定するようにした。
【０４９３】
従って画像表示装置１は、グループの複数の静止画像ＳＧを、それぞれ画像下方向が画面下端に向く表示向きにする場合には、これら複数の静止画像ＳＧの回転表示の設定に対する操作を簡易化して操作性をさらに向上させることができる。
【０４９４】
さらに画像表示装置１は、グループの複数の静止画像ＳＧの中から非表示に設定する静止画像ＳＧを個別に選択させて、当該選択された静止画像ＳＧを非表示に設定するようにした。
【０４９５】
これにより画像表示装置１は、グループ内に特に表示しないように要望される静止画像ＳＧが存在する場合でも、その静止画像ＳＧを容易に表示しないようにすることができ、静止画像ＳＧの無駄な表示を未然に回避することができる。
【０４９６】
（２）他の実施の形態
（２−１）他の実施の形態１
なお上述した実施の形態においては、複数の静止画像ＳＧを認識結果に基づいて複数のグループに分類し、表示部１０の表示画面１０Ａにグループ毎の複数の静止画像ＳＧを表示するようにした場合について述べた。
【０４９７】
しかしながら本発明は、これに限らず、複数の静止画像ＳＧをグループに分類せずにそのまま表示部１０の表示画面１０Ａに表示するようにしても良い。かかる構成によれば、例えば、表示状態設定処理時の処理負荷を低減させることができる。
【０４９８】
（２−２）他の実施の形態２
また上述した実施の形態においては、被写体を写真撮影して生成した静止画像データＳＤに基づく静止画像ＳＧについて表示状態を設定するようにした場合について述べた。
【０４９９】
しかしながら本発明は、これに限らず、時間的に連続する複数の静止画像によって形成される動画像から抜き取った当該静止画像や、コンピュータによって生成されたグラフィック画像のような静止画像のように、この他種々の静止画像について表示状態を設定することができる。
【０５００】
（２−３）他の実施の形態３
さらに上述した実施の形態においては、本発明による表示状態設定装置を、図１乃至図２２について上述した画像表示装置１に適用するようにした場合について述べた。
【０５０１】
しかしながら本発明は、これに限らず、コンピュータや携帯電話機、ＰＤＡ（Personal  Digital  Assistance）、ゲーム機器等の情報処理装置、ハードディスクレコーダのような記録再生装置、テレビジョン受像機、デジタルビデオカメラ、デジタルスチルカメラ等のように、この他種々の構成の表示状態設定装置に広く適用することができる。
【０５０２】
（２−４）他の実施の形態４
さらに上述した実施の形態においては、本発明による表示状態設定プログラムを、図１乃至図２２について上述した画像表示装置１の記憶部３又はＲＯＭ４に予め記憶された表示状態設定プログラムに適用し、画像表示装置１の制御部２が、その表示状態設定プログラムに従って図２２について上述した表示状態設定処理手順ＲＴ１を実行するようにした場合について述べた。
【０５０３】
しかしながら本発明は、これに限らず、画像表示装置１が表示状態設定プログラムの記録されたコンピュータ読取可能な記録媒体によって表示状態設定プログラムをインストールして、制御部２が、そのインストールした表示状態設定プログラムに従って図２２について上述した表示状態設定処理手順ＲＴ１を実行するようにしても良い。
【０５０４】
また画像表示装置１は、ローカルエリアネットワークやインターネット、デジタル衛星放送等の有線及び無線通信媒体を利用して外部から表示状態設定プログラムをインストールするようにしても良い。
【０５０５】
そして表示状態設定プログラムを画像表示装置１にインストールして実行可能な状態にするためのコンピュータ読取可能な記録媒体としては、例えばフレキシブルディスクのようなパッケージメディアで実現しても良い。
【０５０６】
また表示状態設定プログラムを画像表示装置１にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０５０７】
さらに表示状態設定プログラムを画像表示装置１にインストールして実行可能な状態にするためのコンピュータ読取可能な記録媒体としては、ＤＶＤ（Digital  Versatile  Disc）等のパッケージメディアで実現しても良い。
【０５０８】
さらに、かかるコンピュータ読取可能な記録媒体としては、パッケージメディアのみならず、各種プログラムが一時的もしくは永続的に記録される半導体メモリや磁気ディスク等で実現しても良い。
【０５０９】
また、これらコンピュータ読取可能な記録媒体に表示状態設定プログラムを記録する手段としては、ローカルエリアネットワークやインターネット、デジタル衛星放送等の有線及び無線通信媒体を利用しても良い。
【０５１０】
さらにコンピュータ読取可能な記録媒体に表示状態設定プログラムを記録する手段としては、ルータやモデム等の各種通信インタフェースを介して記録するようにしても良い。
【０５１１】
（２−５）他の実施の形態５
さらに上述した実施の形態においては、複数の静止画像を認識処理する画像認識部として、図１乃至図２２について上述した制御部２を適用するようにした場合について述べた。
【０５１２】
しかしながら本発明は、これに限らず、マイクロプロセッサや、複数の静止画像を認識処理するハードウェア回路構成の画像認識回路等のように、この他種々の構成の画像認識部を広く適用することができる。
【０５１３】
（２−６）他の実施の形態６
さらに上述した実施の形態においては、静止画像毎の認識結果に基づき、当該静止画像毎の表示向きを補正するための補正回転角度を検出する補正角度検出部として、図１乃至図２２について上述した制御部２を適用するようにした場合について述べた。
【０５１４】
しかしながら本発明は、これに限らず、マイクロプロセッサや、静止画像毎の認識結果に基づき、当該静止画像毎の表示向きを補正するための補正回転角度を検出するハードウェア回路構成の補正角度検出回路等のように、この他種々の構成の補正角度検出部を広く適用することができる。
【０５１５】
（２−７）他の実施の形態７
さらに上述した実施の形態においては、表示部で表示された複数の静止画像の中から１つの当該静止画像を選択するために用いられると共に、当該選択された静止画像を回転させるための指定回転角度を指定するために用いられる操作入力部として、図１乃至図２２について上述したリモートコントローラのような操作入力部７を適用するようにした場合について述べた。
【０５１６】
しかしながら本発明は、これに限らず、タッチパネルやキーボード等のように、この他種々の構成の操作入力部を広く適用することができる。
【０５１７】
（２−８）他の実施の形態８
さらに上述した実施の形態においては、表示部で表示された複数の静止画像の中から操作入力部を介して１つの静止画像が選択されると共に、当該選択された静止画像を回転させるための指定回転角度が指定されると、選択された静止画像を指定回転角度まで回転させて表示するように設定すると共に、指定回転角度と、複数の静止画像それぞれの補正回転角度とに基づいて、選択された静止画像以外の他の複数の静止画像を、選択された静止画像を指定回転角度まで回転させるときと同じ表示向きとなるように回転させて表示するように設定する回転表示設定部として、図１乃至図２２について上述した制御部２を適用するようにした場合について述べた。
【０５１８】
しかしながら本発明は、これに限らず、マイクロプロセッサや、表示部で表示された複数の静止画像の中から操作入力部を介して１つの静止画像が選択されると共に、当該選択された静止画像を回転させるための指定回転角度が指定されると、選択された静止画像を指定回転角度まで回転させて表示するように設定すると共に、指定回転角度と、複数の静止画像それぞれの補正回転角度とに基づいて、選択された静止画像以外の他の複数の静止画像を、選択された静止画像を指定回転角度まで回転させるときと同じ表示向きとなるように回転させて表示するように設定するハードウェア回路構成の回転表示設定回路等のように、この他種々の構成の回転表示設定部を広く適用することができる。
【０５１９】
（２−９）他の実施の形態９
さらに上述した実施の形態においては、静止画像毎の認識結果に基づき、複数の当該静止画像を複数のグループに分類する分類部として、図１乃至図２２について上述した制御部２を適用するようにした場合について述べた。
【０５２０】
しかしながら本発明は、これに限らず、マイクロプロセッサや、複数の静止画像毎の認識結果に基づき、複数の当該静止画像を複数のグループに分類するハードウェア回路構成の分類回路等のように、この他種々の構成の分類部を広く適用することができる。
【産業上の利用可能性】
【０５２１】
本発明は、コンピュータや携帯電話機等の情報処理装置、ハードディスクレコーダのような記録再生装置等の表示状態設定装置に利用することができる。
【図面の簡単な説明】
【０５２２】
【図１】本発明による画像表示装置の回路構成の一実施の形態を示すブロック図である。
【図２】表示画面の構成を示す略線図である。
【図３】デジタルスチルカメラによる静止画像の生成の説明に供する略線的斜視図である。
【図４】画像ファイルの構成を示す略線図である。
【図５】表示状態設定テーブルの構成を示す略線図である。
【図６】一列表示画像による複数の静止画像の一列表示の説明に供する略線図である。
【図７】一覧表示画像による複数の静止画像の一覧表示の説明に供する略線図である。
【図８】グループ別表示画像による複数の静止画像のグループ別表示の説明に供する略線図である。
【図９】メニューの構成を示す略線図である。
【図１０】メニュー合成画像の構成（１）を示す略線図である。
【図１１】メニュー合成画像の構成（２）を示す略線図である。
【図１２】メニュー合成画像の構成（３）を示す略線図である。
【図１３】メニュー合成画像の構成（４）を示す略線図である。
【図１４】メニュー合成画像から表示を切り換えたときの一列表示画像の構成を示す略線図である。
【図１５】メニュー合成画像から表示を切り換えたときの一覧表示画像の構成を示す略線図である。
【図１６】メニュー合成画像から表示を切り換えたときのグループ別表示画像の構成を示す略線図である。
【図１７】表示状態を特には設定しない場合の複数の静止画像の一覧表示の説明に供する略線図である。
【図１８】表示状態として回転表示を設定した場合の複数の静止画像の一覧表示の説明に供する略線図である。
【図１９】表示状態として静止画像の回転表示を個別に設定した場合の複数の静止画像の一覧表示の説明に供する略線図である。
【図２０】表示状態としてグループ単位の静止画像の回転表示を、画像下方向を任意の方向に向けて設定した場合の複数の静止画像の一覧表示の説明に供する略線図である。
【図２１】表示状態として単独表示を設定した場合の複数の静止画像の一覧表示の説明に供する略線図である。
【図２２】表示状態設定処理手順を示すフローチャートである。
【符号の説明】
【０５２３】
１……画像表示装置、２……制御部、３……記憶部、１０……表示部、１０Ａ……表示画面、２０……一列表示画像、２１……一覧表示画像、２２……グループ別表示画像、ＳＤ……静止画像データ、ＳＧ……静止画像、ＲＴ１……表示状態設定処理手順。
【図１】
2010113217.tif 000003
【図２】
2010113217.tif 000004
【図３】
2010113217.tif 000005
【図４】
2010113217.tif 000006
【図５】
2010113217.tif 000007
【図６】
2010113217.tif 000008
【図７】
2010113217.tif 000009
【図８】
2010113217.tif 000010
【図９】
2010113217.tif 000011
【図１０】
2010113217.tif 000012
【図１１】
2010113217.tif 000013
【図１２】
2010113217.tif 000014
【図１３】
2010113217.tif 000015
【図１４】
2010113217.tif 000016
【図１５】
2010113217.tif 000017
【図１６】
2010113217.tif 000018
【図１７】
2010113217.tif 000019
【図１８】
2010113217.tif 000020
【図１９】
2010113217.tif 000021
【図２０】
2010113217.tif 000022
【図２１】
2010113217.tif 000023
【図２２】
2010113217.tif 000024